(57)【要約】【課題】撮像装置から画像データを取得し、取得した画像データを記憶し、記憶した画像データに係る画像を表示する際には、手振れのない画像のみを表示することができる画像記憶表示装置を提供する。【解決手段】カードスロット３１に装着されたメモリカード２から画像データを取得し、画像データに付された手振れ量が閾値を超えるか否かを手振れ判定部３２にて判定し、手振れ量が閾値を超えない画像データのみをハードディスク４０の画像ファイルエリア４１に記憶する。スライドショー表示を行う場合には、画像ファイルエリア４１に記憶された画像データを順次読み出して表示する。【選択図】図３
2009105673.tif 000002
【特許請求の範囲】
【請求項１】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記画像データ取得手段が取得した画像データから、該画像データに係る画像が撮像されたときの撮像装置の振れ量に係る情報を取得する振れ情報取得手段と、
該振れ情報取得手段が取得した振れ量が所定の閾値を超えるか否かを判定する判定手段と
を備え、
前記記憶手段は、振れ量が前記閾値を超えない画像データを記憶し、振れ量が閾値を超える画像データを記憶しないようにしてあること
を特徴とする画像記憶表示装置。
【請求項２】
前記閾値の設定を受け付ける受付手段を更に備え、
前記判定手段は、前記受付手段が受け付けた閾値を用いて判定を行うようにしてあること
を特徴とする請求項１に記載の画像記憶表示装置。
【請求項３】
前記振れ情報取得手段が取得した情報を表示するか否かの設定を受け付ける受付手段を更に備え、
前記画像表示処理手段は、前記受付手段が表示する設定を受け付けた場合に、前記情報を画像データに係る画像と共に表示するようにしてあること
を特徴とする請求項１又は請求項２に記載の画像記憶表示装置。
【請求項４】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記画像データ取得手段が取得した画像データから、該画像データに係る画像が撮像されたときの撮像装置の振れ量に係る情報を取得する振れ情報取得手段と、
該振れ情報取得手段が取得した振れ量が一又は複数の閾値を超えるか否かをそれぞれ判定する判定手段と
を備え、
前記記憶手段は、前記画像データ取得手段が取得した複数の画像データを、前記判定手段の判定結果に応じた複数のグループに分けて記憶するようにしてあること
を特徴とする画像記憶表示装置。
【請求項５】
前記一又は複数の閾値の設定を受け付ける受付手段を更に備え、
前記判定手段は、前記受付手段が受け付けた閾値を用いて判定を行うようにしてあり、
前記記憶手段は、前記受付手段が受け付けた閾値に応じた複数のグループに分けて画像データを記憶するようにしてあること
を特徴とする請求項４に記載の画像記憶表示装置。
【請求項６】
画像の表示を行うか否かの設定をグループ毎に受け付ける受付手段を更に備え、
前記画像表示処理手段は、表示を行う設定のグループの画像データに係る複数の画像を順次的に切り替えて表示するスライドショー表示を行うようにしてあること
を特徴とする請求項４又は請求項５に記載の画像記憶表示装置。
【請求項７】
前記判定手段が一の閾値を用いて判定を行い、前記記憶手段が２つのグループに分けて画像データを記憶するようにしてあり、
前記画像表示処理手段は、一のグループに分けられた画像データに係る複数の画像を順次的に切り替えて表示するスライドショー表示を行い、他のグループに分けられた画像データに係る画像のスライドショー表示を行わないようにしてあること
を特徴とする請求項４に記載の画像記憶表示装置。
【請求項８】
前記一の閾値の設定を受け付ける受付手段を更に備え、
前記判定手段は、前記受付手段が受け付けた一の閾値を用いて判定を行うようにしてあること
を特徴とする請求項７に記載の画像記憶表示装置。
【請求項９】
前記他のグループに分けられた画像データに係る画像のスライドショー表示を行うか否かの設定を受け付ける受付手段を更に備え、
前記画像表示処理手段は、前記受付手段が前記スライドショー表示を行う設定を受け付けた場合に、前記他のグループに分けられた画像データに係る画像のスライドショー表示を行うようにしてあること
を特徴とする請求項７又は請求項８に記載の画像記憶表示装置。
【請求項１０】
画像データに係る振れ量に応じて該画像データに係る画像の補正を行う画像補正手段を更に備え、
前記判定手段は、前記画像補正手段による補正が必要であるか否かを判定する第１閾値と、前記画像補正手段による補正が可能であるか否かを判定する第２閾値とを用いて振れ量の判定を行うようにしてあり、
前記記憶手段は、前記画像補正手段による補正が必要ない画像データによる第１グループと、前記画像補正手段による補正が可能な画像データによる第２グループと、前記画像補正手段による補正が不可能な画像データによる第３グループとに分けて画像データを記憶するようにしてあること
を特徴とする請求項４に記載の画像記憶表示装置。
【請求項１１】
前記補正手段による補正を行うか否かの選択を受け付ける受付手段を更に備え、
前記画像補正手段は、前記受付手段が受け付けた選択に応じて、前記第２グループの画像データに係る画像を補正するようにしてあり、
前記画像表示処理手段は、前記第１グループ及び前記第２グループの画像データに係る画像を順次的に切り替えて表示するスライドショー表示を行うようにしてあること
を特徴とする請求項１０に記載の画像記憶表示装置。
【請求項１２】
前記第３グループの画像データに係る画像を表示するか否かの設定を受け付ける受付手段を更に備え、
前記画像表示処理手段は、前記受付手段が表示する設定を受け付けた場合に、前記第３グループの画像データに係る画像をスライドショー表示するようにしてあること
を特徴とする請求項１１に記載の画像記憶表示装置。
【請求項１３】
前記振れ情報取得手段が取得した情報を表示するか否かの設定を受け付ける受付手段を更に備え、
前記画像表示処理手段は、前記受付手段が表示する設定を受け付けた場合に、前記情報を画像データに係る画像と共に表示するようにしてあること
を特徴とする請求項４から請求項１２までのいずれか１つに記載の画像記憶表示装置。
【請求項１４】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記記憶手段に記憶された画像データから、該画像データに係る画像が撮像されたときの撮像装置の振れ量に係る情報を取得する振れ情報取得手段と、
画像データに係る画像と共に前記情報を表示するか否かの設定を受け付ける受付手段と
を備え、
前記画像表示処理手段は、前記受付手段が前記情報を画像と共に表示する設定を受け付けた場合に、前記情報を画像データに係る画像と共に表示するようにしてあること
を特徴とする画像記憶表示装置。
【請求項１５】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記記憶手段に記憶された画像データから、該画像データに係る画像が撮像されたときの撮像装置の振れ量に係る情報を取得する振れ情報取得手段と、
該振れ情報取得手段が取得した振れ量が所定の閾値を超えるか否かを判定する判定手段と
を備え、
前記画像表示処理手段は、振れ量が前記閾値を超えない画像データを表示し、振れ量が閾値を超える画像データを表示しないようにしてあること
を特徴とする画像記憶表示装置。
【請求項１６】
前記閾値の設定を受け付ける受付手段を更に備え、
前記判定手段は、前記受付手段が受け付けた閾値を用いて判定を行うようにしてあること
を特徴とする請求項１５に記載の画像記憶表示装置。
【請求項１７】
前記判定手段の判定結果に応じて、前記記憶手段に記憶された画像データを削除する削除手段と
を更に備えることを特徴とする請求項１５又は請求項１６に記載の画像記憶表示装置。
【請求項１８】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記記憶手段に記憶された画像データから、該画像データに係る画像が撮像されたときの撮像装置の振れ量に係る情報を取得する振れ情報取得手段と、
該振れ情報取得手段が取得した振れ量が所定の閾値を超えるか否かを判定する判定手段と
を備え、
前記画像表示処理手段は、振れ量が前記閾値を超える画像データに係る画像にマークを付して、前記記憶手段に記憶された画像データに係る画像を一覧表示するようにしてあること
を特徴とする画像記憶表示装置。
【請求項１９】
画像データの削除の指示を受け付ける受付手段と、
該受付手段が削除の指示を受け付けた場合に、前記マークが付された画像に係る画像データを前記記憶手段から削除する削除手段と
を更に備えることを特徴とする請求項１８に記載の画像記憶表示装置。
【請求項２０】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記記憶手段に記憶された画像データから、該画像データに係る画像が撮像されたときの撮像装置の振れ量に係る情報を取得する振れ情報取得手段と、
表示された画像から一又は複数の画像の選択を受け付ける受付手段と
を備え、
前記画像表示処理手段は、前記振れ情報取得手段が取得した情報を、画像データに係る画像と共に表示するようにしてあると共に、前記受付手段が選択を受け付けた場合に、選択された画像にマークを付して表示するようにしてあること
を特徴とする画像記憶表示装置。
【請求項２１】
前記マークが付された画像に係る画像データを削除する削除手段を更に備えること
を特徴とする請求項２０に記載の画像記憶表示装置。
【請求項２２】
前記記憶手段は、
前記画像データ取得手段が取得した画像データを、複数のグループに分けて記憶するようにしてあり、
前記マークが付された画像に係る画像データと、前記マークが付されていない画像に係る画像データとを異なるグループに記憶するようにしてあること
を特徴とする請求項２０に記載の画像記憶表示装置。
【請求項２３】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記記憶手段に記憶された画像データから、該画像データに係る画像が撮像されたときの撮像装置の振れ量に係る情報を取得する振れ情報取得手段と、
該振れ情報取得手段が取得した振れ量を基に、画像データに係る画像に補正を行う必要があるか否か、及び、画像データに係る画像が補正可能であるか否かを判定する判定手段と、
該判定手段が補正可能と判定した画像の補正を行う画像補正手段と
を備え、
前記画像表示処理手段は、前記判定手段により補正を行う必要がないと判定された画像、及び前記画像補正手段が補正した画像を表示するようにしてあること
を特徴とする画像記憶表示装置。
【請求項２４】
前記補正手段による補正を行うか否かの選択を受け付ける受付手段を更に備え、
該受付手段が受け付けた選択に応じて前記補正手段が補正を行うようにしてあること
を特徴とする請求項２３に記載の画像記憶表示装置。
【請求項２５】
前記判定手段に補正不可能と判定された画像を表示するか否かの選択を受け付ける受付手段を更に備え、
前記画像表示処理手段は、前記受付手段が表示する選択を受け付けた場合に前記画像を表示するようにしてあること
を特徴とする請求項２３又は請求項２４に記載の画像記憶表示装置。
【請求項２６】
前記振れ情報取得手段が取得した情報を、画像データに係る画像と共に表示するか否かの選択を受け付ける受付手段を更に備え、
前記画像表示処理手段は、前記受付手段が前記情報を画像と共に表示する設定を受け付けた場合に、前記情報を画像データに係る画像と共に表示するようにしてあること
を特徴とする請求項２３から請求項２５までのいずれか１つに記載の画像記憶表示装置。
【請求項２７】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記画像データ取得手段が取得した画像データから、該画像データに係る画像が撮像されたときの撮像装置の振れ量に係る情報を取得する振れ情報取得手段と、
該振れ情報取得手段が取得した振れ量を基に、画像データに係る画像に補正を行う必要があるか否か、及び、画像データに係る画像が補正可能であるか否かを判定する判定手段と、
該判定手段が補正可能と判定した画像の補正を行う画像補正手段と
を備え、
前記記憶手段は、前記判定手段により補正を行う必要がないと判定された画像に係る画像データ、並びに前記画像補正手段により補正された画像及び補正前の画像に係る画像データを記憶するようにしてあること
を特徴とする画像記憶表示装置。
【請求項２８】
撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、
前記画像データ取得手段が取得した画像データから、該画像データに係る画像が撮像されたときの撮像装置の振れ量に係る情報を取得する振れ情報取得手段と、
該振れ情報取得手段が取得した振れ量を基に、画像データに係る画像に補正を行う必要があるか否か、及び、画像データに係る画像が補正可能であるか否かを判定する判定手段と、
該判定手段が補正可能と判定した画像の補正を行う画像補正手段と、
前記画像補正手段による補正前後の画像の表示に係る処理を行う手段と、
表示された補正前後の画像から一方の画像の選択を受け付ける受付手段と
を備え、
前記記憶手段は、前記判定手段が補正を行う必要がないと判定した画像に係る画像データ、及び前記受付手段が選択を受け付けた画像に係る画像データを記憶するようにしてあること
を特徴とする画像記憶表示装置。
【請求項２９】
前記記憶手段は、前記判定手段が補正不可能と判定した画像に係る画像データを記憶しないようにしてあること
を特徴とする請求項２７又は請求項２８に記載の画像記憶表示装置。
【請求項３０】
前記記憶手段は、
前記画像データ取得手段が取得した画像データを、複数のグループに分けて記憶するようにしてあり、
前記判定手段が補正不可能と判定した画像に係る画像データと、前記判定手段が補正を行う必要がないと判定した画像に係る画像データ及び前記判定手段が補正可能と判定した画像に係る画像データとを、異なるグループに記憶するようにしてあること
を特徴とする請求項２７又は請求項２８に記載の画像記憶表示装置。
【請求項３１】
前記判定手段が補正不可能と判定した画像を表示するか否かの設定を受け付ける受付手段を更に備え、
前記画像表示処理手段は、前記受付手段が表示する設定を受け付けた場合に前記画像を表示するようにしてあること
を特徴とする請求項３０に記載の画像記憶表示装置。
【請求項３２】
前記画像表示処理手段は、前記判定手段による判定結果及び／又は前記画像補正手段による補正の有無に係る情報を、画像データに係る画像と共に表示するようにしてあること
を特徴とする請求項２７から請求項３１までのいずれか１つに記載の画像記憶表示装置。
【請求項３３】
前記情報を表示するか否かの設定を受け付ける受付手段を更に備え、
前記画像表示処理手段は、前記受付手段が前記情報を画像と共に表示する設定を受け付けた場合に、前記情報を画像データに係る画像と共に表示するようにしてあること
を特徴とする請求項３２に記載の画像記憶表示装置。
【発明の詳細な説明】
【技術分野】
【０００１】
本発明は、撮像装置から画像データを取得し、取得した画像データをメモリ又はハードディスク等に記憶して、記憶した画像データに係る画像を液晶ディスプレイなどに表示する画像記憶表示装置に関する。
【背景技術】
【０００２】
従来、ＣＣＤ（Charge Coupled Device）などによる撮像を行ってデジタルの画像データを取得する撮像装置、所謂デジタルカメラが広く普及している。デジタルカメラには液晶ディスプレイなどの表示部が搭載されている場合が多く、この表示部に撮像した画像を表示することができる。しかし、デジタルカメラの表示部は撮像した画像の確認を主たる目的とするものであり、画像の鑑賞には不向きである。このためユーザは、ＰＣ（パーソナルコンピュータ）などの表示機能を有する他の装置を用いてデジタルカメラから画像データを取得し、他の装置にて画像を表示して鑑賞する場合が多い。また近年では、表示機能を有する他の装置として、例えば電子式の写真たて及びテレビジョン装置に接続されたハードディスクレコーダ等を利用することができる。これらの装置は、１つの画像を表示するのみでなく、複数の画像をスライドショー表示又は一覧表示等の種々の方法で表示することができ、利便性が高いという利点がある。
【０００３】
特許文献１においては、磁気ディスクから画像信号を再生するか、又は外部から画像信号を入力するかして、メモリに画像信号を記録した後、平面表示パネルに画像信号を再生して表示する電子写真表示装置が提案されている。この電子写真表示装置は、デジタルカメラ又はＡＶ機器等からの静止画を写真たての感覚で再現することができる。
【０００４】
特許文献２においては、フレーム部及び液晶ディスプレイからなる写真たての本体部と、この本体部に内蔵され、多数の写真画像が記憶された画像記憶装置と、本体部の裏面に回動自在に設けられた支持用脚部と、電源ボタン及び操作ボタン等の種々の操作部とを備える画像記憶装置付き写真たてが提案されている。この画像記憶装置付き写真たては、電源ボタンを操作することにより電源部から画像記憶装置へと通電され、液晶ディスプレイに写真画像が表示される。また、操作ボタンを操作して別の写真画像を呼び出して表示させることもでき、写真画像と共に日付及びタイトル等も記録することができる。
【０００５】
また、特許文献３においては、ユーザＩＤ（IDentifier）又はデバイスＩＤ毎に画像データを補正するための補正関数を算出して保管しておき、画像データに対して画像処理を施す際にはこの画像データに付与されたユーザＩＤ又はデバイスＩＤに対応する補正関数を検索し、この補正関数に基づいて補正パラメータを算出して、補正パラメータにより画像データに画像データを施すことにより、ユーザ毎に又は表示デバイス毎に最適な画像処理が施された画像を得ることができる鑑賞用データ補正方法が提案されている。
【特許文献１】実開平３−３８９８１号公報
【特許文献２】特開平９−３０８５５８号公報
【特許文献３】特開２００２−２８１３４７号公報
【発明の開示】
【発明が解決しようとする課題】
【０００６】
従来、デジタルカメラを用いて撮像を行う場合に、撮像装置に振れ（所謂、手振れ）が生じることによって、撮像した画像の画質が悪化するという問題がある。この問題を解決するために、近年のデジタルカメラには手振れ補正機能を備えるものがある。例えば、ジャイロセンサなどのセンサを用いて手振れを検知し、手振れを相殺する方向へレンズ又は光学素子を移動させることにより、手振れのない画像を取得することができる。しかし、このような手振れ補正機能を搭載することによってデジタルカメラが大型化及び高コスト化するため、全てのデジタルカメラがこの機能を搭載することができるわけではなく、一般に高級機に搭載される場合が多い。また、この機能を搭載した場合であっても、手振れの程度によっては完全に補正を行うことができない虞がある。
【０００７】
デジタルカメラにて撮像された画像は、内部のメモリ又は装着されたメモリカード等に画像データとして記憶されるが、撮像の際に手振れが生じた画像に係る画像データと、手振れが生じていない画像に係る画像データとが混在して記憶される。デジタルカメラに記憶された画像データをＰＣ、電子式写真たて又はハードディスクレコーダ等の装置を利用して鑑賞する場合、これらの装置では手振れの有無に関わらず記憶された画像データに係る画像を表示する。特にスライドショー表示により画像の鑑賞を行う場合には、記憶された画像データに係る画像が順次的に表示されるため、手振れにより画質が悪化した画像が表示されるという問題がある。
【０００８】
手振れが生じた画像に係る画像データをユーザが予め削除しておくことにより上述の問題を回避することができるが、近年ではメモリ容量の増大からデジタルカメラに記憶することができる画像データの量が多く、多数の画像データから手振れが生じた画像データを削除する作業は非常に繁雑な作業である。特許文献１に記載の電子写真表示装置及び特許文献２に記載の画像記憶装置つき写真たてについても、同様の問題を有している。また、特許文献３に記載の鑑賞用データ補正方法はユーザ毎に又は表示デバイス毎に最適な補正を行うものであり、一人のユーザが一つのデジタルカメラを利用して撮像した複数の画像について画像毎の手振れを補正するものではなく、上述の問題を解決することはできない。
【０００９】
本発明は、斯かる事情に鑑みてなされたものであって、その目的とするところは、撮像装置から画像データを取得するときに、撮像の際の撮像装置の振れ量に係る情報（即ち、手振れ量に係る情報）を画像データから取得し、振れ量が閾値を超えない画像データのみを取得して記憶し、振れ量が閾値を超える画像データを記憶しない構成とすることにより、画像を表示する際には手振れのない画像のみを読み出して表示することができる画像記憶表示装置を提供することにある。
【００１０】
また本発明の他の目的とするところは、撮像装置から画像データを取得するときに、撮像の際の撮像装置の振れ量に係る情報を画像データから取得し、振れ量に応じて画像データを複数のグループに分けて記憶する構成とすることにより、複数の画像をスライドショー表示する場合などには手振れのない画像のみを読み出して表示することができ、一覧表示する場合などには全ての画像を読み出して表示するなど、手振れ量に応じた表示処理を行うことができる画像記憶表示装置を提供することにある。
【００１１】
また本発明の他の目的とするところは、撮像装置から画像データを一括して取得して記憶しておき、撮像の際の撮像装置の振れ量に係る情報を画像データから取得して、各画像データの振れ量に応じた画像の表示を行う構成とすることにより、スライドショー表示などを行う際に手振れのない画像のみを表示することができる画像記憶表示装置を提供することにある。
【００１２】
また本発明の他の目的とするところは、撮像装置から画像データを取得するときに、手振れを補正可能な画像については手振れ補正を行う構成とすることにより、撮像の際に手振れが生じた画像であっても、手振れの程度が低い画像については自動的に補正して表示することができる画像記憶表示装置を提供することにある。
【課題を解決するための手段】
【００１３】
本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記画像データ取得手段が取得した画像データから、該画像データに係る画像が撮像されたときの撮像装置の振れ量に係る情報を取得する振れ情報取得手段と、該振れ情報取得手段が取得した振れ量が所定の閾値を超えるか否かを判定する判定手段とを備え、前記記憶手段は、振れ量が前記閾値を超えない画像データを記憶し、振れ量が閾値を超える画像データを記憶しないようにしてあることを特徴とする。
【００１４】
また、本発明に係る画像記憶表示装置は、前記閾値の設定を受け付ける受付手段を更に備え、前記判定手段は、前記受付手段が受け付けた閾値を用いて判定を行うようにしてあることを特徴とする。
【００１５】
また、本発明に係る画像記憶表示装置は、前記振れ情報取得手段が取得した情報を表示するか否かの設定を受け付ける受付手段を更に備え、前記画像表示処理手段は、前記受付手段が表示する設定を受け付けた場合に、前記情報を画像データに係る画像と共に表示するようにしてあることを特徴とする。
【００１６】
また、本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記画像データ取得手段が取得した画像データから、該画像データに係る画像が撮像されたときの撮像装置の振れ量に係る情報を取得する振れ情報取得手段と、該振れ情報取得手段が取得した振れ量が一又は複数の閾値を超えるか否かをそれぞれ判定する判定手段とを備え、前記記憶手段は、前記画像データ取得手段が取得した複数の画像データを、前記判定手段の判定結果に応じた複数のグループに分けて記憶するようにしてあることを特徴とする。
【００１７】
また、本発明に係る画像記憶表示装置は、前記一又は複数の閾値の設定を受け付ける受付手段を更に備え、前記判定手段は、前記受付手段が受け付けた閾値を用いて判定を行うようにしてあり、前記記憶手段は、前記受付手段が受け付けた閾値に応じた複数のグループに分けて画像データを記憶するようにしてあることを特徴とする。
【００１８】
また、本発明に係る画像記憶表示装置は、画像の表示を行うか否かの設定をグループ毎に受け付ける受付手段を更に備え、前記画像表示処理手段は、表示を行う設定のグループの画像データに係る複数の画像を順次的に切り替えて表示するスライドショー表示を行うようにしてあることを特徴とする。
【００１９】
また、本発明に係る画像記憶表示装置は、前記判定手段が一の閾値を用いて判定を行い、前記記憶手段が２つのグループに分けて画像データを記憶するようにしてあり、前記画像表示処理手段は、一のグループに分けられた画像データに係る複数の画像を順次的に切り替えて表示するスライドショー表示を行い、他のグループに分けられた画像データに係る画像のスライドショー表示を行わないようにしてあることを特徴とする。
【００２０】
また、本発明に係る画像記憶表示装置は、前記一の閾値の設定を受け付ける受付手段を更に備え、前記判定手段は、前記受付手段が受け付けた一の閾値を用いて判定を行うようにしてあることを特徴とする。
【００２１】
また、本発明に係る画像記憶表示装置は、前記他のグループに分けられた画像データに係る画像のスライドショー表示を行うか否かの設定を受け付ける受付手段を更に備え、前記画像表示処理手段は、前記受付手段が前記スライドショー表示を行う設定を受け付けた場合に、前記他のグループに分けられた画像データに係る画像のスライドショー表示を行うようにしてあることを特徴とする。
【００２２】
また、本発明に係る画像記憶表示装置は、画像データに係る振れ量に応じて該画像データに係る画像の補正を行う画像補正手段を更に備え、前記判定手段は、前記画像補正手段による補正が必要であるか否かを判定する第１閾値と、前記画像補正手段による補正が可能であるか否かを判定する第２閾値とを用いて振れ量の判定を行うようにしてあり、前記記憶手段は、前記画像補正手段による補正が必要ない画像データによる第１グループと、前記画像補正手段による補正が可能な画像データによる第２グループと、前記画像補正手段による補正が不可能な画像データによる第３グループとに分けて画像データを記憶するようにしてあることを特徴とする。
【００２３】
また、本発明に係る画像記憶表示装置は、前記補正手段による補正を行うか否かの選択を受け付ける受付手段を更に備え、前記画像補正手段は、前記受付手段が受け付けた選択に応じて、前記第２グループの画像データに係る画像を補正するようにしてあり、前記画像表示処理手段は、前記第１グループ及び前記第２グループの画像データに係る画像を順次的に切り替えて表示するスライドショー表示を行うようにしてあることを特徴とする。
【００２４】
また、本発明に係る画像記憶表示装置は、前記第３グループの画像データに係る画像を表示するか否かの設定を受け付ける受付手段を更に備え、前記画像表示処理手段は、前記受付手段が表示する設定を受け付けた場合に、前記第３グループの画像データに係る画像をスライドショー表示するようにしてあることを特徴とする。
【００２５】
また、本発明に係る画像記憶表示装置は、前記振れ情報取得手段が取得した情報を表示するか否かの設定を受け付ける受付手段を更に備え、前記画像表示処理手段は、前記受付手段が表示する設定を受け付けた場合に、前記情報を画像データに係る画像と共に表示するようにしてあることを特徴とする。
【００２６】
また、本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記記憶手段に記憶された画像データから、該画像データに係る画像が撮像されたときの撮像装置の振れ量に係る情報を取得する振れ情報取得手段と、画像データに係る画像と共に前記情報を表示するか否かの設定を受け付ける受付手段とを備え、前記画像表示処理手段は、前記受付手段が前記情報を画像と共に表示する設定を受け付けた場合に、前記情報を画像データに係る画像と共に表示するようにしてあることを特徴とする。
【００２７】
また、本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記記憶手段に記憶された画像データから、該画像データに係る画像が撮像されたときの撮像装置の振れ量に係る情報を取得する振れ情報取得手段と、該振れ情報取得手段が取得した振れ量が所定の閾値を超えるか否かを判定する判定手段とを備え、前記画像表示処理手段は、振れ量が前記閾値を超えない画像データを表示し、振れ量が閾値を超える画像データを表示しないようにしてあることを特徴とする。
【００２８】
また、本発明に係る画像記憶表示装置は、前記閾値の設定を受け付ける受付手段を更に備え、前記判定手段は、前記受付手段が受け付けた閾値を用いて判定を行うようにしてあることを特徴とする。
【００２９】
また、本発明に係る画像記憶表示装置は、前記判定手段の判定結果に応じて、前記記憶手段に記憶された画像データを削除する削除手段とを更に備えることを特徴とする。
【００３０】
また、本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記記憶手段に記憶された画像データから、該画像データに係る画像が撮像されたときの撮像装置の振れ量に係る情報を取得する振れ情報取得手段と、該振れ情報取得手段が取得した振れ量が所定の閾値を超えるか否かを判定する判定手段とを備え、前記画像表示処理手段は、振れ量が前記閾値を超える画像データに係る画像にマークを付して、前記記憶手段に記憶された画像データに係る画像を一覧表示するようにしてあることを特徴とする。
【００３１】
また、本発明に係る画像記憶表示装置は、画像データの削除の指示を受け付ける受付手段と、該受付手段が削除の指示を受け付けた場合に、前記マークが付された画像に係る画像データを前記記憶手段から削除する削除手段とを更に備えることを特徴とする。
【００３２】
また、本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記記憶手段に記憶された画像データから、該画像データに係る画像が撮像されたときの撮像装置の振れ量に係る情報を取得する振れ情報取得手段と、表示された画像から一又は複数の画像の選択を受け付ける受付手段とを備え、前記画像表示処理手段は、前記振れ情報取得手段が取得した情報を、画像データに係る画像と共に表示するようにしてあると共に、前記受付手段が選択を受け付けた場合に、選択された画像にマークを付して表示するようにしてあることを特徴とする。
【００３３】
また、本発明に係る画像記憶表示装置は、前記マークが付された画像に係る画像データを削除する削除手段を更に備えることを特徴とする。
【００３４】
また、本発明に係る画像記憶表示装置は、前記記憶手段が、前記画像データ取得手段が取得した画像データを、複数のグループに分けて記憶するようにしてあり、前記マークが付された画像に係る画像データと、前記マークが付されていない画像に係る画像データとを異なるグループに記憶するようにしてあることを特徴とする。
【００３５】
また、本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記記憶手段に記憶された画像データから、該画像データに係る画像が撮像されたときの撮像装置の振れ量に係る情報を取得する振れ情報取得手段と、該振れ情報取得手段が取得した振れ量を基に、画像データに係る画像に補正を行う必要があるか否か、及び、画像データに係る画像が補正可能であるか否かを判定する判定手段と、該判定手段が補正可能と判定した画像の補正を行う画像補正手段とを備え、前記画像表示処理手段は、前記判定手段により補正を行う必要がないと判定された画像、及び前記画像補正手段が補正した画像を表示するようにしてあることを特徴とする。
【００３６】
また、本発明に係る画像記憶表示装置は、前記補正手段による補正を行うか否かの選択を受け付ける受付手段を更に備え、該受付手段が受け付けた選択に応じて前記補正手段が補正を行うようにしてあることを特徴とする。
【００３７】
また、本発明に係る画像記憶表示装置は、前記判定手段に補正不可能と判定された画像を表示するか否かの選択を受け付ける受付手段を更に備え、前記画像表示処理手段は、前記受付手段が表示する選択を受け付けた場合に前記画像を表示するようにしてあることを特徴とする。
【００３８】
また、本発明に係る画像記憶表示装置は、前記振れ情報取得手段が取得した情報を、画像データに係る画像と共に表示するか否かの選択を受け付ける受付手段を更に備え、前記画像表示処理手段は、前記受付手段が前記情報を画像と共に表示する設定を受け付けた場合に、前記情報を画像データに係る画像と共に表示するようにしてあることを特徴とする。
【００３９】
また、本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記画像データ取得手段が取得した画像データから、該画像データに係る画像が撮像されたときの撮像装置の振れ量に係る情報を取得する振れ情報取得手段と、該振れ情報取得手段が取得した振れ量を基に、画像データに係る画像に補正を行う必要があるか否か、及び、画像データに係る画像が補正可能であるか否かを判定する判定手段と、該判定手段が補正可能と判定した画像の補正を行う画像補正手段とを備え、前記記憶手段は、前記判定手段により補正を行う必要がないと判定された画像に係る画像データ、並びに前記画像補正手段により補正された画像及び補正前の画像に係る画像データを記憶するようにしてあることを特徴とする。
【００４０】
また、本発明に係る画像記憶表示装置は、撮像装置にて撮像された画像に係る画像データを取得する画像データ取得手段と、該画像データ取得手段が取得した画像データを記憶する記憶手段と、該記憶手段に記憶された画像データの画像表示に係る処理を行う画像表示処理手段とを備える画像記憶表示装置において、前記画像データ取得手段が取得した画像データから、該画像データに係る画像が撮像されたときの撮像装置の振れ量に係る情報を取得する振れ情報取得手段と、該振れ情報取得手段が取得した振れ量を基に、画像データに係る画像に補正を行う必要があるか否か、及び、画像データに係る画像が補正可能であるか否かを判定する判定手段と、該判定手段が補正可能と判定した画像の補正を行う画像補正手段と、前記画像補正手段による補正前後の画像の表示に係る処理を行う手段と、表示された補正前後の画像から一方の画像の選択を受け付ける受付手段とを備え、前記記憶手段は、前記判定手段が補正を行う必要がないと判定した画像に係る画像データ、及び前記受付手段が選択を受け付けた画像に係る画像データを記憶するようにしてあることを特徴とする。
【００４１】
また、本発明に係る画像記憶表示装置は、前記記憶手段が、前記判定手段が補正不可能と判定した画像に係る画像データを記憶しないようにしてあることを特徴とする。
【００４２】
また、本発明に係る画像記憶表示装置は、前記記憶手段が、前記画像データ取得手段が取得した画像データを、複数のグループに分けて記憶するようにしてあり、前記判定手段が補正不可能と判定した画像に係る画像データと、前記判定手段が補正を行う必要がないと判定した画像に係る画像データ及び前記判定手段が補正可能と判定した画像に係る画像データとを、異なるグループに記憶するようにしてあることを特徴とする。
【００４３】
また、本発明に係る画像記憶表示装置は、前記判定手段が補正不可能と判定した画像を表示するか否かの設定を受け付ける受付手段を更に備え、前記画像表示処理手段は、前記受付手段が表示する設定を受け付けた場合に前記画像を表示するようにしてあることを特徴とする。
【００４４】
また、本発明に係る画像記憶表示装置は、前記画像表示処理手段が、前記判定手段による判定結果及び／又は前記画像補正手段による補正の有無に係る情報を、画像データに係る画像と共に表示するようにしてあることを特徴とする。
【００４５】
また、本発明に係る画像記憶表示装置は、前記情報を表示するか否かの設定を受け付ける受付手段を更に備え、前記画像表示処理手段は、前記受付手段が前記情報を画像と共に表示する設定を受け付けた場合に、前記情報を画像データに係る画像と共に表示するようにしてあることを特徴とする。
【００４６】
本発明においては、撮像装置では撮像を行う都度に加速度センサなどを用いて振れ量を取得し、撮像した画像と共に撮像装置の振れ量に係る情報を画像データに付与しておく。画像データの記憶機能及び記憶した画像データに係る画像の表示機能を有するＰＣ、電子式写真たて又はハードディスクレコーダ等の画像記憶表示装置は、画像データに付与された振れ量を基に、この画像データに係る画像が鑑賞に堪えうるものであるか否かを推定することが可能である。よって、画像記憶表示装置は、撮像装置から画像データを取得するときに、各画像データに付与された振れ量が閾値を超えるか否かを調べて、振れ量が閾値を超えない画像データのみを記憶する。画像を表示する際に読み出す画像データには振れ量が閾値を超えるものは含まれないため、画像記憶表示装置は、鑑賞に堪えうる画質のよい画像のみを表示することができる。
【００４７】
このときに、振れ量の閾値をユーザが設定することができる構成とすることによって、画像記憶表示装置はユーザの好みに適した画像の表示を行うことができる。更に、各画像データに付与された振れ量に係る情報を画像と共に表示することによって、ユーザが前述の閾値の設定などを行う際の判断基準を提供することができ、画像記憶表示装置の利便性が向上する。
【００４８】
また、本発明においては、画像記憶表示装置が、撮像装置から画像データを取得するときに各画像データに付与された振れ量と一又は複数の閾値との比較を行って、各画像データを振れ量に応じた複数のグループに分けて記憶する構成とすることもできる。例えば、ユーザが一又は複数の閾値を設定して、設定した閾値に応じて設けられるグループ毎に表示を行うか否かを設定することを可能とし、表示を行う設定のグループに含まれる画像データに係る画像を画像記憶表示装置がスライドショー表示する構成とすることにより、ユーザの好み又は画像記憶表示装置の使用状況等に応じて最適な画像の表示を行うことができる。
【００４９】
また例えば、画像記憶表示装置が、予め定められた一の閾値を用いて振れ量の判定を行うことで画像データを２つのグループに分けて記憶し、一のグループの画像データに係る画像のスラードショー表示を行い、他のグループの画像データに係る画像のスライドショー表示を行わない構成とすることにより、閾値を超える振れ量の画像がスライドショー表示されることがなく、一覧表示などの場合には全ての画像を表示することができるため、ユーザの好み又は画像記憶表示装置の使用状況等に応じて最適な画像の表示を行うことができる。一の閾値はユーザが設定可能な構成であってもよい。
【００５０】
また例えば、画像記憶表示装置が、振れ量が画像の補正が必要な量であるか否かを判定する第１閾値、及び振れ量が画像補正可能な量であるか否かを判定する第２閾値を用いて振れ量の判定を行うことで画像データを３つのグループに分けて記憶する構成とすることができる。これにより画像データは、画像補正が必要でない良好な画質の第１グループと、振れが生じたが補正可能な第２グループと、振れ量が大きく画像補正が不可能な第３グループとに分けられる。スライドショー表示を行う場合に、第１グループの画像データに係る画像を表示し、第２グループの画像データに係る画像は補正して表示し、第３グループの画像データに係る画像は表示しないことで、画質の良好な画像のみが表示される。第２グループの画像データに係る画像の画像補正を行うか否か、及び第３グループの画像データに係る画像を表示するか否かは、ユーザが設定可能な構成であってもよい。
【００５１】
また、本発明においては、画像記憶表示装置が、撮像装置から画像データを一括取得して記憶しておき、画像を表示する際に画像データから振れ量に係る情報を取得する構成とすることもできる。取得した振れ量に係る情報は、画像の一覧表示などの際に、ユーザの設定に応じて画像と共に表示する。スライドショー表示を行う際には、振れ量が閾値より大きい画像は表示しない。画像記憶表示装置は、振れ量が閾値より大きい画像データを自動的に削除する構成とするか、若しくは一覧表示の際に振れ量が閾値より大きい画像にマークを付して表示し、ユーザの操作によりマークを付した画像に係る画像データを削除する構成としてもよい。又は、一覧表示の際にユーザから画像の選択を受け付けて、選択された画像にマークを付して表示し、マークが付された画像に係る画像データを削除する構成とするか、若しくはマークが付された画像に係る画像データと付されていない画像に係る画像データとを異なるグループに記憶する構成としてもよい。
【００５２】
又は、画像記憶表示装置が、一括取得して記憶した画像データに係る画像を表示する際に画像データから振れ量に係る情報を取得し、振れ量が画像の補正が必要な量であるか否か及び振れ量が画像補正可能な量であるか否かを判定して、画像補正が必要でない良好な画質の画像を表示し、画像補正が必要な画像は画像補正を行って表示し、画像補正が不可能な画像は表示しない構成とすることもできる。これにより、画質が良好な画像及び補正により画質が改善された画像のみが表示される。このように、撮像装置から画像データを取得して記憶する際でなく、記憶した画像データに係る画像を表示する際に振れ量に応じた処理を行う構成であってもよい。
【００５３】
また、本発明においては、画像記憶表示装置が、撮像装置から画像データを取得した際に画像データから振れ量に係る情報を取得し、振れを補正することが可能な画像の補正を行って、補正前後の画像に係る画像データを共に記憶しておく構成とするか、又は補正可能な画像の補正前後の画像を表示してユーザの選択に応じていずれか一方の画像に係る画像データを記憶しておく構成とすることもできる。このとき、画像記憶表示装置は補正不可能な画像データを記憶しない構成としてもよく、異なるグループに分けて記憶しておく構成としてもよい。一覧表示などにより画像を表示する際には、振れの補正の必要性の有無又は振れの補正を行ったか否か等を示す情報を画像と共に表示することによって、ユーザがいずれの画像をスライドショー表示するかを容易に選択することが可能となる。
【発明の効果】
【００５４】
本発明による場合は、画像記憶表示装置が撮像装置から画像データを取得するときに、振れ量が閾値を超えない画像データのみを取得して記憶し、振れ量が閾値を超える画像データを記憶しない構成とすることにより、スライドショー表示などで画像を表示する場合には、記憶された画像データを読み出して表示を行うのみで振れのない画像のみの表示を行うことができる。よって、ユーザは振れの大きい画像を削除しておくなどの作業を予め行う必要がなく、鑑賞に堪えうる画像のみを画像記憶表示装置が表示することができるため、画像記憶表示装置の利便性を高めることができると共に、ユーザは画像記憶表示装置を利用して画質の良い画像を鑑賞することができる。
【００５５】
また本発明による場合は、画像記憶表示装置が撮像装置から画像データを取得するときに、振れ量に応じて画像データを複数のグループに分けて記憶する構成とすることにより、画像の表示を行うか否か又は画像補正を行うか否か等をグループ毎に設定して手振れ量に応じた表示処理を行うことができる。よって、画像記憶表示装置の利便性を高めることができ、画像記憶表示装置を利用した画質の良い画像の鑑賞を実現することができる。
【００５６】
また本発明による場合は、画像記憶表示装置が撮像装置から画像データを一括取得して記憶しておき、撮像の際の撮像装置の振れ量に係る情報を画像データから取得して、振れ量の大きい画像はスライドショー表示を行わない、補正後に表示を行う、又は削除する等のように、記憶した各画像データの振れ量に応じた処理を行う構成とすることにより、鑑賞に堪えうる画像のみを画像記憶表示装置が表示することができる。よって、画像記憶表示装置の利便性を高めることができ、画像記憶表示装置を利用した画質の良い画像の鑑賞を実現することができる。
【００５７】
また本発明による場合は、画像記憶表示装置が撮像装置から画像データを取得するときに、手振れを補正可能な画像については手振れ補正を行って記憶する構成とすることにより、振れ量が小さい画像を自動的に補正して記憶することができ、スライドショー表示などを行う場合に鑑賞に堪えうる画像のみを画像記憶表示装置が表示することができる。よって、画像記憶表示装置の利便性を高めることができ、画像記憶表示装置を利用した画質の良い画像の鑑賞を実現することができる。
【発明を実施するための最良の形態】
【００５８】
（実施の形態１）
以下、本発明をその実施の形態を示す図面に基づき具体的に説明する。図１は、本発明に係る画像記憶表示装置を利用した画像鑑賞システム全体の構成を示すブロック図である。なお、本実施の形態においては、画像記憶表示装置としてハードディスクレコーダ３を例に説明を行う。図において１は、撮像を行うデジタルカメラであり、撮像した画像に係る画像データをメモリカード２に記憶するようにしてある。メモリカード２は、デジタルカメラ１に着脱することができる共に、ハードディスクレコーダ３に着脱することができるようにしてある。ハードディスクレコーダ３は、装着されたメモリカード２から画像データを取得して内部のハードディスクに記憶し、記憶した画像データに係る画像を液晶ディスプレイ５に単体表示、一覧表示及びスライドショー表示等の種々の表示方法で表示することができるようにしてある。
【００５９】
デジタルカメラ１は、手振れセンサ１１、制御部１２、操作部１３、イメージセンサ１４、信号処理部１５及びカードスロット１６等を備えている。イメージセンサ１４は、ＣＣＤ又はＣＭＯＳ等の撮像素子により構成され、受光した光の強度を電気信号に変換することによって撮像を行うようにしてあり、撮像画像に応じたアナログの電気信号を信号処理部１５へ出力するようにしてある。信号処理部１５は、イメージセンサ１４から与えられた電気信号の増幅、明るさ調整又はカラーバランス調整等の種々の信号処理を行って、アナログの電気信号をデジタルデータに変換するようにしてある。更に、信号処理部１５は、得られたデジタルデータに種々の情報をヘッダ又はフッタとして付与して画像データを生成し、カードスロット１６に装着されたメモリカード２に記憶するようにしてある。
【００６０】
操作部１３は、デジタルカメラ１の筐体の各部に設けられた複数のスイッチ又はボタン等で構成され、ユーザからの撮像操作及び各種の設定変更操作等を受け付けて、操作内容を制御部１２へ通知するようにしてある。制御部１２は、操作部１３に与えられたユーザの操作に応じてデジタルカメラ１内のハードウェア各部の制御処理を行うものである。例えば、操作部１３のシャッタースイッチが操作された場合には、制御部１２はイメージセンサ１４及び信号処理部１５等を動作させて撮像を行うようにしてある。また、制御部１２は、操作部１３に与えられたユーザの操作に応じて設定された撮像のための各種の設定を記憶しており、設定に応じてハードウェア各部の制御処理を行うと共に、信号処理部１５が画像データを生成する場合に記憶した各種の設定情報を信号処理部１５へ与えるようにしてある。制御部１２から設定情報を与えられた信号処理部１５は、撮像により取得した画像にこれらの設定情報をヘッダ又はフッタとして付与し、画像データを生成するようにしてある。
【００６１】
図２は、デジタルカメラ１が生成する画像データのデータ構造の一例を示す模式図である。デジタルカメラ１の信号処理部１５は、Ｅｘｉｆ（Exchangeable Image File Format）の規格に従って画像データを生成し、カードスロット１６に装着されたメモリカード２に記憶するようにしてある。画像データは、付属情報７１、拡張情報７２、圧縮情報７３及び主画像７４等により構成されている。
【００６２】
付属情報７１には、更に識別コード７５、ヘッダ７６、ＩＦＤ（Image File Directory）７７、サムネイル情報７８及びサムネイル画像７９等の情報が含まれている。ＩＦＤ７７は、タグ及びタグ値の組み合わせによって、撮像した画像の構成及び特性等に係る多数の情報で構成されており、例えば画像のサイズ、圧縮方式、解像度、撮像日時又はデジタルカメラ１の種別等の情報が含まれる。また、手振れセンサ１１を搭載したデジタルカメラ１の場合には、撮像を行ったときのデジタルカメラ１の振れを検出し、検出結果を手振れ量８０として画像データのＩＦＤ７７に付与することができる。手振れ量８０は、例えば手振れセンサ１１による検出結果の数値であってもよく、検出結果を段階的（０〜５の６段階など）に分類した値であってもよく、更には撮像を行ったときのＸ方向及びＹ方向についての振れの軌跡と、振れが生じた時間との詳細な情報であってもよい。
【００６３】
また、本実施の形態においては、ＩＦＤ７７には手振れ量８０と共に、手振れを補正したか否かを示す手振れ補正フラグ８１が含まれているものとする。手振れ補正フラグ８１は、例えば”０”又は”１”の値であり、手振れを補正した場合に”１”に設定されるものとする。ただし、デジタルカメラ１には手振れを補正する機能が搭載されていないため、デジタルカメラ１にてメモリカード２に記憶される画像データについては、手振れ補正フラグ８１は常に”０”に設定される。
【００６４】
拡張情報７２は、１つの画像データに複数の解像度の画像を階層的に保持させる場合に用いられる情報である。圧縮情報７３は、圧縮された主画像を伸張する際に必要な情報であり、例えば量子化テーブル及びハフマンテーブル等の情報が含まれている。主画像７４は、デジタルカメラ１にて撮像された画像を圧縮したものである。
【００６５】
図３は、本発明の実施の形態１に係るハードディスクレコーダ３の構成を示すブロック図である。なお、ハードディスクレコーダ３は、デジタルカメラ１にて撮像した画像を液晶ディスプレイ５に表示する機能の他に、テレビチューナにて受信したテレビ番組の録画／再生などを行う機能を備えているが、これらの機能のみに係るブロックの図示は図３において省略し、デジタルカメラ１にて撮像した画像を表示する機能に係るブロックのみを図３には図示してある。
【００６６】
ハードディスクレコーダ３は、カードスロット３１、手振れ判定部３２、制御部３３、設定受付部３４、メモリ３５、画像デコーダ３６、画像出力部３７及びハードディスク４０等を備えている。カードスロット３１は、少なくともデジタルカメラ１のカードスロット１６に装着されるメモリカード２を着脱可能な構成としてあり、装着されたメモリカード２に記憶された画像データを順次的に読み出して、手振れ判定部３２へ与えるようにしてある。
【００６７】
手振れ判定部３２は、まずカードスロット３１にて読み出された画像データに含まれる手振れ量８０の情報を抽出し、手振れ量８０が予め定められた閾値を超えるか否かを調べるようにしてある。手振れ判定部３２は、手振れ量８０が閾値を超えない画像データのみをハードディスク４０に記憶し、手振れ量８０が閾値を超える画像データ、即ち撮像時の手振れが大きく画質の悪い画像データはハードディスク４０に記憶せずに破棄するようにしてある。
【００６８】
手振れ判定部３２が判定に用いる閾値は、ハードディスクレコーダ３の出荷時点でデフォルト値が予め設定されているが、ユーザがこの閾値の変更を行うことができるようにしてある。ハードディスクレコーダ３の筐体の正面部分などには、複数のボタン又はスイッチ等が配されて、ユーザの操作により設定の変更を受け付ける設定受付部３４が設けてある。設定受付部３４は、ユーザの操作により設定された各種の設定内容を制御部３３へ通知するようにしてあり、上述の閾値の変更を受け付けた場合には、変更された閾値の設定を制御部３３へ通知するようにしてある。
【００６９】
制御部３３は、ハードディスクレコーダ３の各部の制御処理及び各種の演算処理等を行うものであり、具体的にはＣＰＵ（Central Processing Unit）又はＭＰＵ（Micro Processing Unit）等で構成してある。制御部３３は、設定受付部３４から閾値の設定を与えられた場合、この閾値をメモリ３５に記憶すると共に、手振れ判定部３２へ与えて閾値の変更を行うようにしてある。メモリ３５は、各種の設定情報を記憶するため、ＥＥＰＲＯＭ（Electrically Erasable Programmable ROM）又はフラッシュメモリ等の不揮発性のメモリ素子で構成することが好ましいが、ＳＲＡＭ（Static Random Access Memory）又はＤＲＡＭ（Dynamic Random Access Memory）等で構成してもよい。
【００７０】
ハードディスク４０は、大容量の磁気ディスクであり、デジタルカメラ１にて撮像された画像データを記憶して蓄積すると共に、図示しないテレビチューナにより受信したテレビ番組に係る動画データを記憶して蓄積することができるようにしてある。また、ハードディスク４０の記憶領域は画像ファイルエリア４１と放送ファイルエリア４２とに分けられており、手振れ判定部３２から与えられた画像データを画像ファイルエリア４１に記憶し、動画データを放送ファイルエリア４２に記憶するようにしてある。ただし、画像ファイルエリア４１及び放送ファイルエリア４２は物理的にハードディスク４０を分割して設ける必要はなく、論理的に画像データと動画データとをグループ分けできる構成であればよい。
【００７１】
また、設定受付部３４は画像データに係る画像の表示方法（単体表示、一覧表示及びスライドショー表示等）の選択を受け付けることができ、また、画像の表示の開始及び停止等の指示を受け付けることができるようにしてある。制御部３３は、設定受付部３４にて受け付けた表示の開始指示に応じてハードディスク４０から画像データを読み出して画像デコーダ３６へ与えると共に、受け付けた画像の表示方法に応じた表示を行うように画像デコーダ３６の動作を制御するようにしてある。
【００７２】
画像デコーダ３６は、ハードディスク４０から読み出された画像データは圧縮されたデータであるため、これを伸張して画像を取得すると共に、制御部３３の制御に応じて設定された表示方法に適したサイズ及び画質等に画像を変換して表示用の画像を生成し、生成した表示用の画像を画像出力部３７へ与えるようにしてある。画像出力部３７は、液晶ディスプレイ５にケーブルなどを介して接続するための接続端子を有しており、画像デコーダ３６からデジタルデータとして与えられる表示用の画像を液晶ディスプレイ５の表示に適したデジタル又はアナログの画像信号に変換して出力するようにしてある。液晶ディスプレイ５は、ハードディスクレコーダ３７から出力された画像信号に応じて、画像の表示を行う。
【００７３】
また、設定受付部３４は、画像データに係る画像と共に手振れ量８０を画像情報として表示するか否かの設定を受け付けることができるようにしてある。手振れ量８０を表示する設定の場合、制御部３３が画像デコーダ３６へ手振れ量８０の表示命令を与えることによって、画像デコーダ３６はハードディスク４０から読み出された画像データから手振れ量８０を取得し、画像の上下左右のいずれか又は画像に重ね合わせて、手振れ量８０を画像と共に液晶ディスプレイ５へ表示するように表示に係る処理を行うようにしてある。手振れ量８０を表示しない設定の場合には、画像デコーダ３６は画像データから画像のみを取得して表示に係る処理を行うようにしてある。
【００７４】
図４は、本発明の実施の形態１に係るハードディスクレコーダ３が行う画像データの記憶処理の手順を示すフローチャートであり、ハードディスクレコーダ３の制御部３３が各部の動作を制御することにより行う処理である。ハードディスクレコーダ３の制御部３３は、まずカードスロット３１にメモリカード２が装着されたか否かを調べ（ステップＳ１）、メモリカード２が装着されていない場合には（Ｓ１：ＮＯ）、カードスロット３１にメモリカードが装着されるまで待機する。
【００７５】
カードスロット３１にメモリカード２が装着された場合（Ｓ１：ＹＥＳ）、制御部３３はカードスロット３１にてメモリカード２から画像データを読み出して（ステップＳ２）、手振れ判定部３２にて画像データから手振れ量８０の取得を行う（ステップＳ３）。次いで、制御部３３は手振れ判定部３２にて、画像データから取得した手振れ量８０が設定された閾値を超えるか否かを判定する（ステップＳ４）。手振れ量８０が閾値を超えない場合（Ｓ４：ＮＯ）、制御部３３はこの画像データをハードディスク４０の画像ファイルエリア４１に記憶し（ステップＳ５）、ステップＳ６へ進む。手振れ量８０が閾値を超える場合（Ｓ４：ＹＥＳ）、制御部３３はこの画像データをハードディスク４０に記憶せずにステップＳ６へ進む。
【００７６】
次いで、制御部３３は、装着されたメモリカード２から全ての画像データを読み出したか否かを調べ（ステップＳ６）、全ての画像データを読み出していない場合（Ｓ６：ＮＯ）、制御部３３はステップＳ２へ戻り、手振れ量８０の判定とハードディスク４０への画像データの記憶とを繰り返し行う。全ての画像データを読み出した場合（Ｓ６：ＹＥＳ）、制御部３３は画像データの記憶処理を終了する。
【００７７】
ハードディスクレコーダ３は、メモリカード２からの画像データの読み出し及び読み出した画像データのハードディスク４０への記憶を終了した後、ハードディスク４０に記憶された画像データに係る画像の一覧表示を行うことができる。図５は、本発明の実施の形態１に係るハードディスクレコーダによる画像の一覧表示の一例を示す模式図である。本図に示す例では、ハードディスクレコーダ３は、液晶ディスプレイ５の画面の横方向に４つの画像５１を並べて表示し、縦方向に３つの画像５１を並べて表示することによって、合計１２の画像５１を一覧表示するようにしてある。また、ハードディスク４０に更に多くの画像データが記憶されている場合には、ユーザがハードディスクレコーダ３の設定受付部３４に設けられたカーソルキーなどを操作することによって、液晶ディスプレイ５に一覧表示された画像５１を上下方向にスクロールさせて他の画像を表示させることができるようにしてある。
【００７８】
また、ハードディスクレコーダ３は、液晶ディスプレイ５に表示した各画像５１の下側に、この画像５１をデジタルカメラ１にて撮像した際に生じた手振れ量をそれぞれ表示することができるようにしてある。なお、手振れ量を表示するか否かの切り替えは、設定受付部３４に設けられた切替スイッチなどを操作することにより行うことができるようにしてある。図示の例は、例えば画像データに手振れ量８０として０〜５の数値が記憶してあり、ハードディスクレコーダ３が各画像データから手振れ量８を抽出してこの値を”手振れレベル”として表示している。また、この例では手振れ量８０が４を超える画像データをデジタルカメラ１から取得しない設定とした場合であり、ハードディスクレコーダ３は手振れ量０〜３の画像５１のみを記憶して一覧表示することができる。
【００７９】
なお、図示の例では画像データの手振れ量８０の値をそのまま”手振れレベル”として表示する構成としたが、これに限るものではなく、手振れ量８０に応じたアイコンなどを画像５１と共に表示する構成としてもよい。また、画像データの手振れ量８０が０〜５の６段階の場合に、画像５１と共に表示する手振れ量を大・中・小の３段階などで簡略化してもよい。また、画像データの手振れ量８０として、撮像を行ったときのデジタルカメラ１のＸ方向及びＹ方向についての振れの軌跡と、振れが生じた時間との詳細な情報を記憶している場合には、これらの情報を詳細に表示する構成としてもよく、詳細な情報を簡略化して表示する構成としてもよい。
【００８０】
また、ハードディスクレコーダ３は、メモリカード２から取得した画像データをハードディスク４０に記憶した後、ハードディスク４０から画像データを順次的に読み出して、液晶ディスプレイ５に画像を順次的に切り替えて表示するスライドショー表示を行うことができる。スライドショー表示の開始及び停止等の指示は、設定受付部３４に設けられた開始スイッチ及び停止スイッチ等をユーザが操作することにより行うことができるようにしてある。図６は、本発明の実施の形態１に係るハードディスクレコーダ３が行うスライドショー表示処理の手順を示すフローチャートであり、ハードディスクレコーダ３の制御部３３が各部の動作を制御することにより行う処理である。
【００８１】
まず、ハードディスクレコーダ３の制御部３３は、ハードディスク４０から１つの画像データを読み出して（ステップＳ１１）、画像デコーダ３６にてデコードを行うと共に、画像出力部３７にて液晶ディスプレイ５の表示に適した画像信号に変換し（ステップＳ１２）、液晶ディスプレイ５に１つの画像を表示する（ステップＳ１３）。次いで、制御部３３は、画像の表示開始から所定時間が経過したか否かを調べ（ステップＳ１４）、所定時間が経過していない場合（Ｓ１４：ＮＯ）、ステップＳ１３へ戻って画像の表示を継続して行う。
【００８２】
画像の表示開始から所定時間が経過した場合（Ｓ１４：ＹＥＳ）、更に制御部３３は、ハードディスク４０に記憶された全ての画像データの表示を終了したか否かを調べる（ステップＳ１５）。全ての画像データの表示を終了していない場合（Ｓ１５：ＮＯ）、制御部３３はステップＳ１１へ戻って別の画像データを読み出し、上述の処理を繰り返し行う。全ての画像データの表示を終了した場合（Ｓ１４：ＹＥＳ）、制御部３３は処理を終了する。
【００８３】
なお、図６に示したフローチャートでは、ハードディスク４０に記憶された全ての画像データについてスライドショー表示を行う構成としたが、これに限るものではなく、ユーザが予め選択した画像データのみについてスライドショー表示を行う構成としてもよい。また、全ての画像データについて表示を終了した場合にスライドショー表示を終了する構成としたが、これに限るものではなく、ユーザからスライドショー表示の停止指示が与えられるまでスライドショー表示を繰り返し行う構成としてもよい。また、ステップＳ１４で判定を行う所定時間については、ユーザが設定受付部３４を利用して予め設定することができるものとする。
【００８４】
以上の構成のハードディスクレコーダ３においては、デジタルカメラ１にて撮像された画像に係る画像データをメモリカード２から取得するときに、画像データに付された手振れ量８０が閾値を超えるか否かを判定し、手振れ量８０が閾値を超える画像データをハードディスク４０に記憶しない構成とすることにより、スライドショー表示を行う際には、ハードディスク４０から画像デーを順次的に読み出して表示するのみで、手振れのない画像のみの表示を行うことができる。よって、ユーザは手振れの大きい画像をデジタルカメラ１又はハードディスクレコーダ３にて予め削除しておくなどの作業を行う必要がなく、鑑賞に堪えうる画像のみを液晶ディスプレイ５に表示することができる。
【００８５】
なお、本実施の形態においては、画像記憶表示装置としてハードディスクレコーダ３を例に説明を行ったが、これに限るものではなく、ＰＣ又は電子式写真たて等の装置であっても同様の構成を適用することができる。また、ハードディスクレコーダ３がデジタルカメラ１からメモリカード２を介して画像データを取得する構成としたが、これに限るものではなく、ハードディスクレコーダ３とデジタルカメラ１とを接続ケーブルを用いて接続し、デジタルカメラ１内に記憶された画像データを接続ケーブルを介してハードディスクレコーダ３が取得する構成としてもよい。
【００８６】
また、デジタルカメラ１が手振れセンサ１１のみを搭載して手振れ補正機能を備えない構成としたが、これに限るものではなく、デジタルカメラ１が手振れ補正機能を備える構成であってもよく、この場合には手振れ量８０が大きい画像データであっても手振れ補正が行われた画像データについてはハードディスクレコーダ３が取得してハードディスク４０に記憶する構成とすればよい。手振れ補正が行われたか否かについては、画像データに付された手振れ補正フラグ８１にて判断することが可能である。
【００８７】
また、手振れ量８０と比較する閾値をユーザが設定受付部３４を利用して変更することができる構成としたが、これに限るものではなく、ユーザが値を変更することができない固定の閾値と手振れ量８０とを比較する構成としてもよい。また、設定受付部３４はハードディスクレコーダ３の筐体に設けられた複数のボタン又はスイッチ等で構成されるものとしたが、これに限るものではなく、ハードディスクレコーダ３がリモコン（リモートコントローラ）を備える場合には、このリモコンに設けられた複数のボタン又はスイッチ等で構成されるものであってもよい。
【００８８】
（実施の形態２）
図７は、本発明の実施の形態２に係るハードディスクレコーダ１０３の構成を示すブロック図である。実施の形態２に係るハードディスクレコーダ１０３の手振れ判定部１３２は、実施の形態１に係るハードディスクレコーダ３の手振れ判定部３２と同様に、メモリカード２から読み出した画像データから手振れ量８０を抽出し、手振れ量８０が予め定められた閾値を超えるか否かを調べるようにしてある。なお、手振れ判定部１３２が判定に用いる閾値は、設定受付部３４によりユーザが予め設定することができるようにしてある。
【００８９】
実施の形態１の手振れ判定部３２は手振れ量８０が閾値を超える画像データをハードディスク４０に記憶せずに破棄する構成であるが、実施の形態２の手振れ判定部１３２は、手振れ量８０が閾値を超える画像データと手振れ量８０が閾値を超えない画像データとの両方をハードディスク４０に記憶するようにしてある。ただし、ハードディスク４０の画像ファイルエリア４１は更に通常画像エリア４１ａ及び手振れ画像エリア４１ｂの２つのエリアに分けられており、手振れ判定部１３２にて手振れ量８０が閾値を超えないと判定された画像データを通常画像エリア４１ａに記憶し、手振れ量８０が閾値を超えると判定された画像デーを手振れ画像エリア４１ｂに記憶するようにしてある。なお、通常画像エリア４１ａ及び手振れ画像エリア４１ｂは物理的にハードディスク４０を分割して設ける必要はなく、手振れ量８０に応じて画像データをグループ分けできる構成であればよい。
【００９０】
また、ハードディスクレコーダ１０３の制御部１３３は、画像の一覧表示を行う場合、画像ファイルエリア４１に記憶された全ての画像データについて表示を行うようにしてある。このとき制御部１３３は、設定受付部３４に対してなされたユーザの設定操作に応じて、一覧表示した各画像と共に手振れ量に係る情報を表示するようにしてある。
【００９１】
これに対して制御部１３３は、スライドショー表示を行う場合には、通常画像エリア４１ａに記憶された画像データについてのみ表示を行うようにしてある。ただし、ユーザは設定受付部３４により手振れ画像エリア４１ｂに記憶された画像データのスライドショー表示を行うように設定を変更することができるようにしてあり、この場合には、制御部１３３は画像ファイルエリア４１に記憶された全ての画像データについてスライドショー表示を行うようにしてある。
【００９２】
図８は、本発明の実施の形態２に係るハードディスクレコーダ１０３が行う画像データの記憶処理の手順を示すフローチャートであり、ハードディスクレコーダ１０３の制御部１３３が各部の動作を制御することにより行う処理である。ハードディスクレコーダ１０３の制御部１３３は、まずカードスロット３１にメモリカード２が装着されたか否かを調べ（ステップＳ３１）、メモリカード２が装着されていない場合には（Ｓ３１：ＮＯ）、カードスロット３１にメモリカード２が装着されるまで待機する。
【００９３】
カードスロット３１にメモリカード２が装着された場合（Ｓ３１：ＹＥＳ）、制御部１３３はカードスロット３１にてメモリカード２から画像データを読み出して（ステップＳ３２）、手振れ量判定部１３２にて画像データから手振れ量８０の取得を行う（ステップＳ３３）。次いで、制御部１３３は手振れ量判定部１３２にて、画像データから取得した手振れ量８０が設定された閾値を超えるか否かを判定する（ステップＳ３４）。手振れ量８０が閾値を超えない場合（Ｓ３４：ＮＯ）、制御部３３はこの画像データをハードディスク４０の画像ファイルエリア４１の通常画像エリア４１ａに記憶し（ステップＳ３５）、ステップＳ３７へ進む。手振れ量８０が閾値を超える場合（Ｓ３４：ＹＥＳ）、制御部１３３はこの画像データを画像ファイルエリア４１の手振れ画像エリア４１ｂに記憶し（ステップＳ３６）、ステップＳ３７へ進む。
【００９４】
次いで、制御部１３３は、装着されたメモリカード２から全ての画像データを読み出したか否かを調べ（ステップＳ３７）、全ての画像データを読み出していない場合（Ｓ３７：ＮＯ）、制御部１３３はステップＳ３２へ戻り、手振れ量８０の判定とハードディスク４０への画像データの記憶とを繰り返し行う。全ての画像データを読み出した場合（Ｓ３７：ＹＥＳ）、制御部１３３は画像データの記憶処理を終了する。
【００９５】
実施の形態２に係るハードディスクレコーダ１０３が行う画像の一覧表示は、図５に示した実施の形態１に係るハードディスクレコーダ３が行う画像の一覧表示と同様であるため、表示例の図示及び説明等を省略する。ただし、実施の形態２に係るハードディスクレコーダ１０３では、各画像データに付された手振れ量８０に関係なく、デジタルカメラ１にて撮像された画像の全てを一覧表示することができる。
【００９６】
また、実施の形態２に係るハードディスクレコーダ１０３が行う画像のスライドショー表示の処理手順は、図６に示したフローチャートの処理手順と同様であるため、図示及び説明等を省略する。ただし、実施の形態２に係るハードディスクレコーダ１０３は、ハードディスク４０の画像ファイルエリア４１の通常画像エリア４１ａに記憶された画像データに係る画像のみをスライドショー表示するようにしてある。ユーザが手振れが生じた画像のスライドショー表示を行う設定とした場合には、手振れ画像エリア４１ｂに記憶された画像データに係る画像のスライドショー表示を行うこともできる。
【００９７】
以上の構成の実施の形態２に係るハードディスクレコーダ１０３は、デジタルカメラ１にて撮像された画像に係る画像データをメモリカード２から取得するときに、画像データに付された手振れ量８０が閾値を超えるか否かを判定し、手振れ量８０が閾値を超えない画像データを通常画像エリア４１ａに記憶し、手振れ量８０が閾値を超える画像を手振れ画像エリア４１ｂに記憶する構成とすることにより、スライドショー表示を行う際には、ハードディスク４０の通常画像エリア４１ａから画像データを順次的に読み出して表示するのみで、手振れのない画像のみの表示を行うことができる。また、実施の形態１に係るハードディスクレコーダ３とは異なり、実施の形態２に係るハードディスクレコーダ１０３は手振れ量８０が閾値を超える画像データをハードディスク４０の手振れ画像エリア４１ｂに記憶するため、一覧表示の際に手振れが生じた画像を表示することができ、ユーザの設定に応じてスライドショー表示の際にも手振れが生じた画像を表示することができる。
【００９８】
なお、実施の形態２に係るハードディスクレコーダ１０３のその他の構成は、実施の形態１に係るハードディスクレコーダ３の構成と同様であるため、対応する箇所には同じ符号を付して説明を省略する。
【００９９】
（実施の形態３）
図９は、本発明の実施の形態３に係るハードディスクレコーダ２０３の構成を示すブロック図である。実施の形態３に係るハードディスクレコーダ２０３は、画像に生じた手振れを補正する手振れ補正部４５を備えており、デジタルカメラ１での撮像の際に生じた手振れが補正の限度を超えない画像については手振れ補正を行って液晶ディスプレイ５への表示を行うことができるようにしてある。このために、デジタルカメラ１は、撮像の際のＸ方向及びＹ方向についての振れの軌跡と、振れが生じた時間との情報を手振れ量８０として画像データに付すようにしてある。手振れ補正部４５が行う画像処理による手振れの補正は、画像データから手振れ量８０を取得し、手振れ量８０として付与された撮像時のＸ方向及びＹ方向についての振れの軌跡及び振れが生じた時間を基に、振れの軌跡と逆の方向に画像を補正することで行うことができる。
【０１００】
また、実施の形態３に係るハードディスクレコーダ２０３の手振れ判定部２３２は、カードスロット３１に装着されたメモリカード２から読み出した画像データから手振れ量８０を取得し、取得した手振れ量８０と予め定められた第１閾値及び第２閾値とを比較判定するようにしてある。手振れ量８０と閾値との比較は、例えば、手振れ量８０に含まれる撮像の際のＸ方向及びＹ方向についての振れの軌跡から最大振れ幅を算出し、最大振れ幅が所定の閾値を超えるか否かを調べることにより行うことができる。又は、Ｘ方向及びＹ方向についての振れの軌跡から合計振れ量を算出し、合計振れ量が所定の閾値を超えるか否かを調べることにより行うことができる。ただし、比較の方法はこれらに限るものではなく、その他の方法であってもよく、デジタルカメラ１が画像データに付す手振れ量８０の構成に適した方法で比較を行えばよい。
【０１０１】
手振れ判定部２３２が比較に用いる第１閾値は、画像データにかかる画像の手振れを補正する必要があるか否か（即ち、画像に手振れが生じているか否か）を判定するための閾値である。第１閾値はユーザが設定受付部３４を利用して設定することができる構成であってもよい。ハードディスク４０の画像ファイルエリア４１は、補正不要画像エリア４１Ａ、補正可能画像エリア４１Ｂ、補正不可能画像エリア４１Ｃの３つのエリアに分けられており、手振れ判定部２３２にて手振れ量８０が第１閾値を超えないと判定された画像データは補正不要画像エリア４１Ａに記憶される。
【０１０２】
第２閾値は、手振れが生じた画像を手振れ補正部４５にて補正することができるか否かを判定するための閾値である。第２閾値は手振れ補正部４５の処理能力により決定される値であるため、ユーザが値を変更することはできない。手振れ判定部２３２にて手振れ量８０が第１閾値を超えるが第２閾値を超えないと判定された画像データは、ハードディスク４０の補正可能画像エリア４１Ｂに記憶される。手振れ判定部２３２にて手振れ量８０が第２閾値を超えると判定された画像データは、ハードディスク４０の補正不可能画像エリア４１Ｃに記憶される。
【０１０３】
また、ハードディスクレコーダ２０３の制御部２３３は、画像の一覧表示を行う場合、画像ファイルエリア４１に記憶された全ての画像データについて表示を行うようにしてある。このとき制御部２３３は、設定受付部３４に対してなされたユーザの設定操作に応じて、一覧表示した各画像と共に手振れ量に係る情報を表示するようにしてある。これに対して制御部２３３は、スライドショー表示を行う場合には、補正不要画像エリア４１Ａの画像データに係る画像の表示を行うと共に、補正可能画像エリア４１Ｂの画像データに係る画像を手振れ補正部４５で補正して表示を行うようにしてある。ただし、ユーザは設定受付部３４により補正不可能画像エリア４１Ｃに記憶された画像データのスライドショー表示を行うように設定を変更することができるようにしてあり、この場合には、制御部２３３は画像ファイルエリア４１に記憶された全ての画像データについてスライドショー表示を行うようにしてある。
【０１０４】
図１０は、本発明の実施の形態３に係るハードディスクレコーダ２０３が行う画像データの記憶処理の手順を示すフローチャートであり、ハードディスクレコーダ２０３の制御部２３３が各部の動作を制御することにより行う処理である。ハードディスクレコーダ２０３の制御部２３３は、まずカードスロット３１にメモリカード２が装着されたか否かを調べ（ステップＳ４１）、メモリカード２が装着されていない場合には（Ｓ４１：ＮＯ）、カードスロット３１にメモリカード２が装着されるまで待機する。
【０１０５】
カードスロット３１にメモリカード２が装着された場合（Ｓ４１：ＹＥＳ）、制御部２３３はカードスロット３１にてメモリカード２から画像データを読み出して（ステップＳ４２）、手振れ量判定部２３２にて画像データから手振れ量８０の取得を行う（ステップＳ４３）。次いで、制御部２３３は手振れ量判定部２３２にて、画像データから取得した手振れ量８０が設定された第１閾値を超えるか否かを判定し（ステップＳ４４）、手振れ量８０が第１閾値を超えない場合には（Ｓ４４：ＮＯ）、画像データをハードディスク４０の補正不要画像エリア４１Ａに記憶して（ステップＳ４５）、ステップＳ４９へ進む。
【０１０６】
手振れ量８０が第１閾値を超える場合（Ｓ４４：ＹＥＳ）、制御部２３３は更に手振れ量８０が第２閾値を超えるか否かを調べる（ステップＳ４６）。手振れ量８０が第２閾値を超えない場合（Ｓ４６：ＮＯ）、制御部２３３は画像データを補正可能画像エリア４１Ｂに記憶して（ステップＳ４７）、ステップＳ４９へ進む。手振れ量８０が第２閾値を超える場合（Ｓ４６：ＹＥＳ）、制御部２３３は画像データを補正不可能画像エリア４１Ｃに記憶して（ステップＳ４８）、ステップＳ４９へ進む。
【０１０７】
次いで、制御部２３３は、装着されたメモリカード２から全ての画像データを読み出したか否かを調べ（ステップＳ４９）、全ての画像データを読み出していない場合（Ｓ４９：ＮＯ）、制御部２３３はステップＳ４２へ戻り、手振れ量８０の判定とハードディスク４０への画像データの記憶とを繰り返し行う。全ての画像データを読み出した場合（Ｓ４９：ＹＥＳ）、制御部２３３は画像データの記憶処理を終了する。
【０１０８】
実施の形態３に係るハードディスクレコーダ２０３が行う画像の一覧表示は、図５に示した実施の形態１に係るハードディスクレコーダ３が行う画像の一覧表示と同様であるため、表示例の図示及び説明等を省略する。ただし、実施の形態３に係るハードディスクレコーダ２０３では、各画像データに付された手振れ量８０に関係なく、デジタルカメラ１にて撮像された画像の全てを一覧表示することができる。
【０１０９】
図１１は、本発明の実施の形態３に係るハードディスクレコーダ２０３が行うスライドショー表示処理の手順を示すフローチャートであり、ハードディスクレコーダ２０３の制御部２３３が各部の動作を制御することにより行う処理である。まず、ハードディスクレコーダ２０３の制御部２３３は、次に表示する画像に係る画像データがハードディスク４０の補正不要画像エリア４１Ａ又は補正可能画像エリア４１Ｂのいずれに記憶されたものであるか否かを調べて、画像データの読み出し元を決定する（ステップＳ６１）。制御部２３３は、決定した画像データの読み出し元が補正不要画像エリア４１Ａであるか否かを調べ（ステップＳ６２）、読み出し元が補正不要画像エリア４１Ａの場合（Ｓ６２：ＹＥＳ）、画像データを補正不要画像エリアから読み出して（ステップＳ６３）、ステップＳ６６へ進む。また、画像データの読み出し元が補正不要画像エリア４１Ａでない場合（Ｓ６２：ＮＯ）、制御部２３３は画像データを補正可能画像エリア４１Ｂから読み出し（ステップＳ６４）、読み出した画像データにかかる画像を手振れ補正部４５にて補正して（ステップＳ６５）、ステップＳ６６へ進む。
【０１１０】
次いで、制御部２３３は、ハードディスク４０から読み出した画像又は手振れ補正部４５にて補正を行った画像を画像デコーダ３６にてデコードすると共に、画像出力部３７にて液晶ディスプレイ５の表示に適した画像信号に変換し（ステップＳ６６）、液晶ディスプレイ５に１つの画像を表示する（ステップＳ６７）。その後、制御部２３３は、画像の表示開始から所定時間が経過したか否かを調べ（ステップＳ６８）、所定時間が経過していない場合（Ｓ６８：ＮＯ）、ステップＳ６７へ戻って画像の表示を継続して行う。
【０１１１】
画像の表示開始から所定時間が経過した場合（Ｓ６８：ＹＥＳ）、更に制御部２３３は、ハードディスク４０の補正不要画像エリア４１Ａ及び補正可能画像エリア４１Ｂに記憶された全ての画像データの表示を終了したか否かを調べる（ステップＳ６９）。全ての画像データの表示を終了していない場合（Ｓ６９：ＮＯ）、制御部２３３はステップＳ６１へ戻って別の画像データを読み出し、上述の処理を繰り返し行う。全ての画像データの表示を終了した場合（Ｓ６９：ＹＥＳ）、制御部２３３は処理を終了する。
【０１１２】
なお、図１１に示したフローチャートでは、ハードディスク４０の補正不要画像エリア４１Ａ及び補正可能画像エリア４１Ｂに記憶された全ての画像データについてスライドショー表示を行う構成としたが、これに限るものではなく、ユーザが予め選択した画像データのみについてスライドショー表示を行う構成としてもよい。また、設定受付部３４にて受け付けたユーザの設定に応じて、補正不可能画像エリア４１Ｃに記憶された画像データに係る画像をスライドショー表示する構成としてもよい。また、全ての画像データについて表示を終了した場合にスライドショー表示を終了する構成としたが、これに限るものではなく、ユーザからスライドショー表示の停止指示が与えられるまでスライドショー表示を繰り返し行う構成としてもよい。
【０１１３】
以上の構成の実施の形態３に係るハードディスクレコーダ２０３は、手振れ判定部２３２が第１閾値及び第２閾値と画像データの手振れ量８０とを比較して、画像データを補正不要画像エリア４１Ａ、補正可能画像エリア４１Ｂ又は補正不可能画像エリア４１Ｃのいずれかに記憶する構成とすることにより、ハードディスク４０の補正不可能画像エリア４１Ｃに記憶された画像データをスライドショー表示の対象から除外して、鑑賞に堪えうる画像のみを液晶ディスプレイ５に表示することができる。また、ハードディスクレコーダ２０３は、手振れ量８０が第２閾値を超えず、手振れの程度が大きくない画像については、手振れ補正部４５にて手振れを自動的に補正してスライドショー表示を行うことができるため、より画質のよい画像を液晶ディスプレイ５に表示することができる。
【０１１４】
なお、実施の形態３に係るハードディスクレコーダ２０３のその他の構成は、実施の形態１に係るハードディスクレコーダ３の構成と同様であるため、対応する箇所には同じ符号を付して説明を省略する。
【０１１５】
（実施の形態４）
図１２は、本発明の実施の形態４に係るハードディスクレコーダ３０３の構成を示すブロック図である。実施の形態４に係るハードディスクレコーダ３０３の手振れ判定部３３２は、設定受付部３４にて設定された複数の閾値とメモリカード２から読み出した画像データの手振れ量８０とを比較判定して、ハードディスク４０の画像ファイルエリア４１に設けられた複数のエリアに画像データを分けて記憶するようにしてある。ユーザが設定することができる閾値の数は任意であり、図１２においては２つの閾値を用いて３つのエリア（第１エリア４１α、第２エリア４１β及び第３エリア４１γ）に画像データを分けて記憶する場合を図示してある。ユーザが３つの閾値を設定した場合には画像データを４つのエリアに分けて記憶することができ、４つの閾値を設定した場合には画像データを５つのエリアに分けて記憶することができる。また、実施の形態４に係るハードディスクレコーダ３０３では、画像ファイルエリア４１に設けられた複数のエリアのそれぞれについて、表示を行うか否か及び手振れ補正を行うか否か等の処理内容を、ユーザが設定することができるようにしてある。これらの設定は、設定受付部３４により受け付けられて制御部３３に通知されてメモリ３５に記憶され、制御部３３３は記憶された設定に応じて各部の動作を制御するようにしてある。
【０１１６】
図１３は、各エリアに記憶された画像データに対する処理内容の設定を説明するための図表である。例えば、ユーザが第１閾値及び第２閾値を設定した場合（ただし、第１閾値＜第２閾値とする）、第１エリア４１α、第２エリア４１β及び第３エリア４１γの３つのエリアに画像データを分けて記憶することができる。ユーザはエリア毎に、例えば一覧表示を行うか否か、スライドショー表示を行うか否か、及び手振れ補正を行うか否かをそれぞれ設定することができるようにしてある。
【０１１７】
図１３に示す例では、第１エリア４１αに記憶された画像データに係る画像は、一覧表示の際に表示され、またスライドショー表示の際に表示されると共に、手振れ量８０が小さく手振れ補正を行う必要がないため補正を行わない設定としてある。第２エリア４１βに記憶された画像データに係る画像は、一覧表示の際に表示され、またスライドショー表示の際に表示されると共に、これらの表示の際には手振れ補正を行った後に表示を行う設定としてある。また、第３エリア４１γに記憶された画像データに係る画像は、一覧表示を行う際には表示されるが、スライドショー表示の際には表示されない設定としてあり、手振れ量８０が大きく手振れ補正部４５にて補正を行うことができないため補正を行わない設定としてある。なお、図１３に示した各エリアの処理内容の設定は一例であってこれに限るものではない。
【０１１８】
以上の構成の実施の形態４に係るハードディスクレコーダ３０３は、ユーザが手振れ判定部３３２が判定に用いる閾値を任意に設定することができ、閾値により分けられた画像ファイルエリア４１内の複数のエリアに対して表示及び補正等の処理を行うか否かを任意に設定することができる構成とすることにより、ユーザは自らに最適な設定でスライドショー表示及び一覧表示等を行うことができるため、ハードディスクレコーダ３０３の利便性を向上することができる。
【０１１９】
なお、実施の形態４に係るハードディスクレコーダ３０３のその他の構成は、実施の形態１に係るハードディスクレコーダ３の構成と同様であるため、対応する箇所には同じ符号を付して説明を省略する。
【０１２０】
（実施の形態５）
図１４は、本発明の実施の形態５に係るハードディスクレコーダ４０３の構成を示すブロック図である。実施の形態５に係るハードディスクレコーダ４０３は、カードスロット３１に装着されたメモリカード２から画像データを取得した際に手振れ量８０の判定を行うことなく、ハードディスク４０の画像ファイルエリア４１に取得した画像データを全て記憶するようにしてある。また、メモリカード２からハードディスク４０へ全ての画像データを記憶した後、ハードディスクレコーダ４０３の制御部４３３は画像ファイルエリア４１に記憶された画像データの一覧表示を行うようにしてあり、この際には画像データに付された手振れ量８０などの手振れに係る情報を画像と共に表示するようにしてある。
【０１２１】
また、ハードディスクレコーダ４０３はスライドショー表示を行う際に、手振れ判定部４３２にて表示する画像データの手振れ量８０と予め定められた閾値とを比較判定するようにしてあり、手振れ量８０が閾値を超えない画像データのみを画像デコーダ３６へ与えて表示を行うようにしてある。なお、手振れ判定部４３２が用いる閾値は、設定受付部３４によりユーザが値を設定することができるようにしてある。
【０１２２】
図１５は、本発明の実施の形態５に係るハードディスクレコーダ４０３が行う画像データの記憶処理の手順を示すフローチャートであり、ハードディスクレコーダ４０３の制御部４３３が各部の動作を制御することにより行う処理である。ハードディスクレコーダ４０３の制御部４３３は、まずカードスロット３１にメモリカード２が装着されたか否かを調べ（ステップＳ８１）、メモリカード２が装着されていない場合には（Ｓ８１：ＮＯ）、カードスロット３１にメモリカードが装着されるまで待機する。
【０１２３】
カードスロット３１にメモリカード２が装着された場合（Ｓ８１：ＹＥＳ）、制御部４３３はカードスロット３１にてメモリカード２から画像データを読み出して（ステップＳ８２）、読み出した画像データをハードディスク４０の画像ファイルエリア４１に記憶する（ステップＳ８３）。次いで、制御部４３３は、装着されたメモリカード２から全ての画像データを読み出したか否かを調べ（ステップＳ８４）、全ての画像データを読み出していない場合（Ｓ８４：ＮＯ）、ステップＳ８２へ戻り、画像データの読み出し及び記憶を繰り返し行う。全ての画像データを読み出した場合（Ｓ８４：ＹＥＳ）、制御部４３３はハードディスク４０の画像ファイルエリア４１に記憶された画像データに係る画像及び手振れ量８０を共に一覧表示して（ステップＳ８５）、処理を終了する。ステップＳ８５にて行う一覧表示は図５に示した表示例と同様である。
【０１２４】
図１６は、本発明の実施の形態５に係るハードディスクレコーダ４０３が行うスライドショー表示処理の手順を示すフローチャートであり、ハードディスクレコーダ４０３の制御部４３３が各部の動作を制御することにより行う処理である。まず、ハードディスクレコーダ４０３の制御部４３３は、ハードディスク４０から１つの画像データを読み出して（ステップＳ９１）、読み出した画像データから手振れ量８０を取得する（ステップＳ９２）。次いで制御部４３３は、取得した手振れ量８０が閾値を超えるか否かを調べる（ステップＳ９３）。
【０１２５】
手振れ量８０が閾値を超えない場合（Ｓ９３：ＮＯ）、制御部４３３は、読み出した画像データを画像デコーダ３６へ与えて画像のデコードを行うと共に、画像出力部３７にて液晶ディスプレイ５の表示に適した画像信号に変換し（ステップＳ９４）、液晶ディスプレイ５に１つの画像を表示する（ステップＳ９５）。次いで、制御部４３３は、画像の表示開始から所定時間が経過したか否かを調べ（ステップＳ９６）、所定時間が経過していない場合（Ｓ９６：ＮＯ）、ステップＳ９５へ戻って画像の表示を継続して行う。
【０１２６】
画像の表示開始から所定時間が経過した場合（Ｓ９６：ＹＥＳ）、又は画像データから取得した手振れ量８０が閾値を超える場合（Ｓ９３：ＹＥＳ）、制御部４３３は、ハードディスク４０に記憶された全ての画像データの表示を終了したか否かを調べる（ステップＳ９７）。全ての画像データの表示を終了していない場合（Ｓ９７：ＮＯ）、制御部４３３はステップＳ９１へ戻って別の画像データを読み出し、上述の処理を繰り返し行う。全ての画像データの表示を終了した場合（Ｓ９７：ＹＥＳ）、制御部４３３は処理を終了する。
【０１２７】
以上の構成の実施の形態５に係るハードディスクレコーダ４０３は、デジタルカメラ１にて撮像された全ての画像データをメモリカード２から読み出してハードディスク４０に一括して記憶し、スライドショー表示を行う際に画像データに付された手振れ量８０と閾値とを比較して、手振れ量８０が閾値を超える画像データの表示を行わない構成とすることにより、ユーザが手振れの大きい画像を予め削除しておくなどの作業を行うことなく、鑑賞に堪えうる画像のみを液晶ディスプレイ５に表示することができる。また、メモリカード２からの画像データを読み出し及びハードディスク４０への記憶を終了した後に、記憶された画像データと手振れ量８０とを一覧表示する構成とすることにより、記憶された画像データに含まれる手振れが生じた画像データをユーザに知らせることができる。
【０１２８】
なお、実施の形態５に係るハードディスクレコーダ４０３のその他の構成は、実施の形態１に係るハードディスクレコーダ３の構成と同様であるため、対応する箇所には同じ符号を付して説明を省略する。
【０１２９】
（変形例１）
上述の実施の形態５に係るハードディスクレコーダ４０３は、スライドショー表示を行う際に手振れ量８０が閾値を超える画像を表示しないのみである。変形例１では、更に手振れ量８０が閾値を超える画像に係る画像データをハードディスク４０から削除する例を示す。図１７は、本発明の実施の形態５の変形例１に係るハードディスクレコーダが行うスライドショー表示処理の手順を示すフローチャートである。まず、変形例１に係るハードディスクレコーダの制御部４３３は、ハードディスク４０から１つの画像データを読み出して（ステップＳ１０１）、読み出した画像データから手振れ量８０を取得する（ステップＳ１０２）。次いで制御部４３３は、取得した手振れ量８０が閾値を超えるか否かを調べる（ステップＳ１０３）。
【０１３０】
手振れ量８０が閾値を超えない場合（Ｓ１０３：ＮＯ）、制御部４３３は、読み出した画像データを画像デコーダ３６へ与えて画像のデコードを行うと共に、画像出力部３７にて液晶ディスプレイ５の表示に適した画像信号に変換し（ステップＳ１０４）、液晶ディスプレイ５に１つの画像を表示する（ステップＳ１０５）。次いで、制御部４３３は、画像の表示開始から所定時間が経過したか否かを調べ（ステップＳ１０６）、所定時間が経過していない場合（Ｓ１０６：ＮＯ）、ステップＳ１０５へ戻って画像の表示を継続して行い、所定時間が経過した場合（Ｓ１０６：ＹＥＳ）、ステップＳ１０８へ進む。
【０１３１】
読み出した画像データから取得した手振れ量８０が閾値を超える場合（Ｓ１０３：ＹＥＳ）、制御部４３３はこの画像データをハードディスク４０から削除して（ステップＳ１０７）、ステップＳ１０８へ進む。
【０１３２】
次いで、制御部４３３は、ハードディスク４０に記憶された全ての画像データの表示を終了したか否かを調べる（ステップＳ１０８）。全ての画像データの表示を終了していない場合（Ｓ１０８：ＮＯ）、制御部４３３はステップＳ１０１へ戻って別の画像データを読み出し、上述の処理を繰り返し行う。全ての画像データの表示を終了した場合（Ｓ１０８：ＹＥＳ）、制御部４３３は処理を終了する。
【０１３３】
以上のように、手振れ量８０が閾値を超える画像データをハードディスク４０から削除する構成とすることによって、実施の形態５の変形例１に係るハードディスクレコーダでは、ハードディスク４０の容量を有効的に活用することができるという利点がある。
【０１３４】
（変形例２）
上述の実施の形態５に係るハードディスクレコーダ４０３は、一覧表示を行う際に画像を手振れ量８０と共に表示することができる。更に変形例２では、一覧表示を行う際に手振れ量８０と閾値との比較を行って、手振れ量８０が閾値を超える画像にこの旨を示すマークを付して表示する例を示す。図１８は、本発明の実施の形態５の変形例２に係るハードディスクレコーダによる画像の一覧表示の一例を示す模式図である。本図に示す例において、ハードディスクレコーダは液晶ディスプレイ５に１２個の画像５１を縦横に一覧表示するようにしてあり、設定受付部３４に設けられたカーソルキーなどをユーザが操作することによって、画像５１の表示を上下方向にスクロールさせて他の画像を表示させることができるようにしてある。また、ハードディスクレコーダは、各画像５１の下側に手振れ量８０を”手振れレベル”として表示するようにしてある。
【０１３５】
変形例２に係るハードディスクレコーダは、一覧表示を行う際に各画像データの手振れ量８０と予め定められた閾値との比較を行うようにしてある。図示の例では、閾値を”３”として判定を行い、手振れ量８０が閾値”３”を超える画像（即ち、手振れ量８０が４又は５の画像）に「×」のマーク５２を重ねて表示するようにしてある。更に、変形例２に係るハードディスクレコーダは、設定受付部３４にてユーザから削除指示を受け付けた場合に、一覧表示で「×」のマーク５２が付された画像に係る画像データをハードディスク４０から削除することができるようにしてある。
【０１３６】
以上のように、手振れ量８０が閾値を超える画像に「×」のマーク５２を付して一覧表示する構成とすることによって、実施の形態５の変形例２に係るハードディスクレコーダでは、ハードディスク４０に記憶された画像データに含まれる手振れ量が大きな画像データをユーザに確実に認識させることができる。また、「×」のマーク５２が付された画像に係る画像データを、ユーザの削除指示に応じてハードディスク４０から削除する構成とすることにより、ハードディスクレコーダの利便性を向上することができ、ハードディスク４０の容量を有効的に活用することができる。
【０１３７】
（変形例３）
上述の実施の形態５の変形例１に係るハードディスクレコーダは、スライドショー表示を行う際に手振れ量８０が閾値を超える画像データをハードディスク４０から削除する構成である。変形例３に係るハードディスクレコーダは、ハードディスク４０に記憶された全ての画像データに係る画像をスライドショー表示し、この際に画像と共に手振れ量８０に係る情報を表示する。更に、スライドショー表示の際に、液晶ディスプレイ５に表示された一の画像を削除対象として選択する削除選択を設定受付部３４に設けられたスイッチなどにより受け付けて、スライドショー表示の終了後に選択された画像に係る画像データをハードディスク４０から削除する構成である。
【０１３８】
図１９は、本発明の実施の形態５の変形例３に係るハードディスクレコーダが行うスライドショー表示処理の手順を示すフローチャートである。まず、ハードディスクレコーダの制御部４３３は、ハードディスク４０から１つの画像データを読み出して（ステップＳ１２１）、読み出した画像データから手振れ量８０を取得する（ステップＳ１２２）。次いで、制御部４３３は、読み出した画像データを画像デコーダ３６へ与えてデコードすると共に、画像出力部３７にて液晶ディスプレイ５の表示に適した画像信号に変換し（ステップＳ１２３）、画像及び手振れ量８０を液晶ディスプレイ５に表示する（ステップＳ１２４）。
【０１３９】
画像及び手振れ量８０の表示後、制御部４３３は設定受付部３４にて表示中の画像の削除選択を受け付けたか否かを調べる（ステップＳ１２５）。削除選択を受け付けた場合は（Ｓ１２５：ＹＥＳ）、液晶ディスプレイ５に表示されている画像に例えば「×」の削除マークを付与して（ステップＳ１２６）、ステップＳ１２７へ進む。削除選択を受け付けていない場合は（Ｓ１２５：ＮＯ）、削除マークを付与することなくステップＳ１２７へ進む。次いで、制御部４３３は、画像の表示開始から所定時間が経過したか否かを調べ（ステップＳ１２７）、所定時間が経過していない場合（Ｓ１２７：ＮＯ）、ステップＳ１２４へ戻って画像の表示を継続して行う。
【０１４０】
画像の表示開始から所定時間が経過した場合（Ｓ１２７：ＹＥＳ）、更に制御部４３３は、ハードディスク４０に記憶された全ての画像データの表示を終了したか否かを調べる（ステップＳ１２８）。全ての画像データの表示を終了していない場合（Ｓ１２８：ＮＯ）、制御部４３３はステップＳ１２１へ戻って別の画像データを読み出し、上述の処理を繰り返し行う。全ての画像データの表示を終了した場合（Ｓ１２８：ＹＥＳ）、制御部４３３はステップＳ１２６にて削除マークを付与した画像に係る全ての画像データをハードディスク４０から削除して（ステップＳ１２９）、処理を終了する。
【０１４１】
以上のように、メモリカード２から読み出して一括してハードディスク４０に記憶した全ての画像データを手振れ量８０と共にスライドショー表示し、スライドショー表示中にユーザからの削除選択を受け付けた画像データをハードディスク４０から削除する構成とすることにより、ユーザは各画像を目視して確認しながら画像データの削除を確実に行うことができ、次回のスライドショー表示では手振れが生じた画像が表示されることはない。なお、スライドショー表示の際に手振れ量８０を画像と共に表示するか否かは、ユーザが設定受付部３４にて設定することができる構成であってもよい。
【０１４２】
（変形例４）
上述の実施の形態５の変形例３に係るハードディスクレコーダは、スライドショー表示の際に削除選択を受け付けた画像に係る画像データを、スライドショー表示の終了後に自動的に削除する構成である。変形例４に係るハードディスクレコーダは、スライドショー表示の際に削除選択を受け付けた画像をハードディスク４０に設けられた異なるエリアに移動し、その後にユーザから削除指示を受け付けた場合に画像データの削除を行う構成である。
【０１４３】
図２０は、本発明の実施の形態５の変形例４に係るハードディスクレコーダ４０３ａの構成を示すブロック図である。変形例４に係るハードディスクレコーダ４０３ａのハードディスク４０は、画像ファイルエリア４１が更に通常画像エリア４１ａと手振れ画像エリア４１ｂとに更に分けられている。カードスロット３１に装着されたメモリカード２から読み出した画像データは全て通常画像エリア４１ａに記憶され、スライドショー表示は通常画像エリア４１ａに記憶された画像データを対象に行われる。
【０１４４】
また、変形例４に係るハードディスクレコーダ４０３ａは、変形例３に係るハードディスクレコーダと同様に、ハードディスク４０の通常画像エリア４１ａに記憶された全ての画像データに係る画像をスライドショー表示し、この際に画像と共に手振れ量８０に係る情報を表示する。更に、スライドショー表示の際に、液晶ディスプレイ５に表示された一の画像を削除対象として選択する削除選択を設定受付部３４に設けられたスイッチなどにより受け付けて、選択された画像の削除マークを付与する。
【０１４５】
ただし、変形例３に係るハードディスクレコーダは選択された画像に係る画像データをスライドショー表示の終了後にハードディスク４０から削除する構成であるが、変形例４に係るハードディスクレコーダ４０３ａは選択された画像に係る画像データをスライドショー表示の終了後に通常画像エリア４１ａから手振れ画像エリア４１ｂへ移動するようにしてある。即ち、図１９に示した変形例３に係るハードディスクレコーダのスライドショー表示処理のフローチャートにおいて、ステップＳ１２６で行う画像データの削除を、通常画像エリア４１ａから手振れ画像エリア４１ｂへの画像データの移動に変更すればよい。
【０１４６】
また、変形例４に係るハードディスクレコーダ４０３ａは、設定受付部３４にて画像データの削除指示を受け付けるようにしてある。設定受付部３４にて受け付けた削除指示は制御部４３３へ通知され、制御部４３３は削除指示に従ってハードディスク４０の手振れ画像エリア４１ｂに記憶された画像データの削除を行うようにしてある。
【０１４７】
以上のように、ハードディスク４０の通常画像エリア４１ａに記憶した全ての画像データを手振れ量８０と共にスライドショー表示し、スライドショー表示中にユーザからの削除選択を受け付けた画像データをハードディスク４０の通常画像エリア４１ａから手振れ画像エリア４１ｂへ移動する構成とすることにより、次回のスライドショー表示では手振れが生じた画像が表示されることはなく、一覧表示などを行う場合には削除選択を受け付けた画像の表示を行うことができる。その後に、設定受付部３４にて削除指示を受け付けた場合に手振れ画像エリア４１ｂに記憶された画像データを削除するため、ハードディスク４０の容量を有効に活用することができる。
【０１４８】
（変形例５）
上述の実施の形態５に係るハードディスクレコーダ４０３は、スライドショー表示を行う際に手振れ量８０が閾値を超える画像を表示しないのみである。変形例５に係るハードディスクレコーダは、更にスライドショー表示を行う際に手振れ補正を行う機能を備える。図２１は、本発明の実施の形態５の変形例５に係るハードディスクレコーダ４０３ｂの構成を示すブロック図である。変形例５に係るハードディスクレコーダ４０３ｂは、ハードディスク４０に記憶された画像データに対して手振れ補正処理を行う手振れ補正部４４５を備えている。
【０１４９】
変形例５に係るハードディスクレコーダ４０３ｂでは、スライドショー表示を行う場合に、手振れ判定部４３２がハードディスク４０に記憶された画像データから手振れ量８０を取得し、取得した手振れ量８０と予め定められた２つの閾値とを比較することによって、ハードディスク４０に記憶された各画像データが手振れのない画像データ、手振れが生じているが補正可能な画像データ、又は手振れを補正することができない画像データのいずれであるかを判定するようにしてある。手振れ判定部４３２にて手振れがないと判定された画像データは、画像デコーダ３６にてデコードされて、液晶ディスプレイ５に表示される。手振れ判定部４３２にて手振れが生じているが補正可能と判定された画像データは、手振れ補正部４４５にて手振れ補正処理が施された後に画像デコーダ３６にてデコードされて、液晶ディスプレイ５に表示される。手振れ判定部４３２にて手振れを補正することができないと判定された画像データは、液晶ディスプレイ５に表示されない。
【０１５０】
図２２は、本発明の実施の形態５の変形例５に係るハードディスクレコーダ４０３ｂが行うスライドショー表示処理の手順を示すフローチャートである。まず、ハードディスクレコーダ４０３ｂの制御部４３３は、ハードディスク４０から１つの画像データを読み出して（ステップＳ１３１）、読み出した画像データから手振れ量８０を取得する（ステップＳ１３２）。次いで制御部４３３は、取得した手振れ量８０が第１閾値を超えるか否かを調べる（ステップＳ１３３）。なお第１閾値は、読み出した画像データに係る画像に手振れが生じているか否かを判定するための閾値である。
【０１５１】
手振れ量８０が第１閾値を超えない場合（Ｓ１３３：ＮＯ）、制御部４３３はステップＳ１３６へ進む。手振れ量８０が第１閾値を超える場合（Ｓ１３３：ＹＥＳ）、制御部４３３は更に手振れ量８０が第２閾値を超えるか否かを調べる（ステップＳ１３４）。なお、第２閾値は、手振れ補正部４４５にて画像の手振れを補正することができるか否かを判定するための閾値であり、第１閾値＜第２閾値である。手振れ量８０が第２閾値を超えない場合（Ｓ１３４：ＮＯ）、制御部３４４は手振れ補正部４４５にて画像の手振れ補正を行い（ステップＳ１３５）、ステップＳ１３６へ進む。
【０１５２】
次いで制御部３４４は、手振れ量８０が第１閾値を超えない画像データ又は手振れ補正部４５５にて手振れ補正を行った画像データを画像デコーダ３６へ与えて画像のデコードを行うと共に、画像出力部３７にて液晶ディスプレイ５の表示に適した画像信号に変換し（ステップＳ１３６）、液晶ディスプレイ５に１つの画像を表示する（ステップＳ１３７）。制御部４３３は、画像の表示開始から所定時間が経過したか否かを調べ（ステップＳ１３８）、所定時間が経過していない場合（Ｓ１３８：ＮＯ）、ステップＳ１３７へ戻って画像の表示を継続して行う。
【０１５３】
また、手振れ量８０が第２閾値を超える場合（Ｓ１３４：ＹＥＳ）、又は画像の表示開始から所定時間が経過した場合（Ｓ１３８：ＹＥＳ）、制御部４３３は、ハードディスク４０に記憶された全ての画像データの表示を終了したか否かを調べる（ステップＳ１３９）。全ての画像データの表示を終了していない場合（Ｓ１３９：ＮＯ）、制御部４３３はステップＳ１３１へ戻って別の画像データを読み出し、上述の処理を繰り返し行う。全ての画像データの表示を終了した場合（Ｓ１３９：ＹＥＳ）、制御部４３３は処理を終了する。
【０１５４】
以上のように、スライドショー表示を行う際に画像データに付された手振れ量８０と第１閾値及び第２閾値とを比較して、手振れのない画像データを表示し、手振れが補正可能な画像データを補正して表示し、手振れを補正できない画像データを表示しない構成とすることにより、ユーザが手振れの大きい画像を予め削除しておくなどの作業を行うことなく、補正可能な画像は自動的に手振れの補正を行って鑑賞に堪えうる画像のみを液晶ディスプレイ５に表示することができる。
【０１５５】
（実施の形態６）
図２３は、本発明の実施の形態６に係るハードディスクレコーダ５０３の構成を示すブロック図である。実施の形態６に係るハードディスクレコーダ５０３は、カードスロット３１に装着されたメモリカード２から画像データを読み出し、手振れ判定部５３２にて画像データから手振れ量８０を取得し、取得した手振れ量８０と予め定められた第１閾値及び第２閾値とを比較して、読み出した画像データが手振れのない画像データ、手振れが生じているが補正可能な画像データ又は手振れを補正できない画像データのいずれであるかを判定するようにしてある。
【０１５６】
また、ハードディスクレコーダ５０３は、手振れ判定部５３２により手振れがないと判定された画像データをハードディスク４０の画像ファイルエリア４１に記憶するようにしてあり、手振れ補正が可能と判定された画像データを手振れ補正部５４５にて補正し、補正前の画像に係る画像データ及び補正後の画像に係る画像データの両方をハードディスク４０の画像ファイルエリア４１に記憶するようにしてある。なお、手振れ補正部５４５は、手振れを補正した画像データの手振れ補正フラグ８１を”１”に設定してハードディスク４０への記憶を行うようにしてある。手振れ判定部５３２により手振れを補正できないと判定された画像データは、ハードディスク４０に記憶されずに破棄される。
【０１５７】
図２４は、本発明の実施の形態６に係るハードディスクレコーダ５０３が行う画像データの記憶処理の手順を示すフローチャートである。ハードディスクレコーダ５０３の制御部５３３は、まずカードスロット３１にメモリカード２が装着されたか否かを調べ（ステップＳ１５１）、メモリカード２が装着されていない場合には（Ｓ１５１：ＮＯ）、カードスロット３１にメモリカード２が装着されるまで待機する。
【０１５８】
カードスロット３１にメモリカード２が装着された場合（Ｓ１５１：ＹＥＳ）、制御部５３３はカードスロット３１にてメモリカード２から画像データを読み出して（ステップＳ１５２）、手振れ判定部５３２にて画像データから手振れ量８０の取得を行う（ステップＳ１５３）。次いで、制御部５３３は手振れ量判定部５３２にて、画像データから取得した手振れ量８０が設定された第１閾値を超えるか否かを判定し（ステップＳ１５４）、手振れ量８０が第１閾値を超えない場合には（Ｓ１５４：ＮＯ）、画像データをハードディスク４０の画像ファイルエリア４１に記憶して（ステップＳ１５５）、ステップＳ１６０へ進む。
【０１５９】
手振れ量８０が第１閾値を超える場合（Ｓ１５４：ＹＥＳ）、制御部５３３は更に手振れ量８０が第２閾値を超えるか否かを調べる（ステップＳ１５６）。手振れ量８０が第２閾値を超えない場合（Ｓ１５６：ＮＯ）、制御部５３３は画像データをハードディスク４０の画像ファイルエリア４１に記憶する（ステップＳ１５７）と共に、この画像データを手振れ補正部１４５へ与えて手振れの補正を行い（ステップＳ１５８）、補正後の画像データをハードディスク４０の画像ファイルエリア４１に記憶して（ステップＳ１５９）、ステップＳ１６０へ進む。
【０１６０】
ステップＳ１５５若しくはステップＳ１５９にて画像データを記憶した後、又はステップＳ１５６にて手振れ量８０が第２閾値を超える場合（Ｓ１５６：ＹＥＳ）、制御部５３３は、装着されたメモリカード２から全ての画像データを読み出したか否かを調べる（ステップＳ１６０）。全ての画像データを読み出していない場合（Ｓ１６０：ＮＯ）、制御部５３３はステップＳ１５２へ戻り、手振れ量８０の判定とハードディスク４０への画像データの記憶とを繰り返し行う。全ての画像データを読み出した場合（Ｓ１６０：ＹＥＳ）、制御部５３３は画像データの記憶処理を終了する。
【０１６１】
また、実施の形態６に係るハードディスクレコーダ５０３は、ハードディスク４０に記憶した画像データに係る画像の一覧表示を行う場合、ハードディスク４０の画像ファイルエリア４１に記憶された画像データの全てを対象に、即ち手振れのない画像及び手振れ補正の前後の画像の全てを対象に表示を行うようにしてある。図２５は、本発明の実施の形態６に係るハードディスクレコーダ５０３による画像の一覧表示の一例を示す模式図である。本図に示す例では、ハードディスクレコーダ５０３は、液晶ディスプレイ５の画面の縦横に画像データに係る画像５１をマトリクス状に並べて表示するようにしてある。この際に、手振れ補正を行った画像については、手振れの前後の画像を左右に並べて表示するようにしてある。
【０１６２】
更に、ハードディスクレコーダ５０３は、各画像に「○」のマーク５５、「△」のマーク５６又は「×」のマーク５７のいずれかを付して表示するようにしてある。「○」のマーク５５は、手振れのない画像（手振れ量８０が第１閾値を超えない画像）に付される。「△」のマーク５６は、手振れ補正を行った画像（手振れ量８０が第１閾値を超え、且つ、第２閾値を超えない画像）の補正後の画像に付され、「×」のマーク５７は、手振れ補正を行った画像の補正前の画像に付される。なお、これらのマーク５５〜５７を表示するか否かは、設定受付部３４によりユーザが設定することができるようにしてある。
【０１６３】
また、実施の形態６に係るハードディスクレコーダ５０３は、ハードディスク４０に記憶した画像データに係る画像のスライドショー表示を行う場合、手振れのない画像及び手振れ補正後の画像のみを順次表示するようにしてあり、手振れ補正前の画像を表示しないようにしてある。
【０１６４】
以上の構成の実施の形態６に係るハードディスクレコーダ５０３は、デジタルカメラ１にて撮像された画像に係る画像データをメモリカード２から取得するときに、手振れを補正可能な画像データについては手振れ補正を行ってハードディスク４０に記憶する構成とすることにより、スライドショー表示を行う際には、ハードディスク４０から画像デーを順次的に読み出して表示するのみで、手振れのない画像のみの表示を行うことができる。また、手振れ補正を行った場合に、補正の前後の画像データを共にハードディスク４０に記憶する構成とすることによって、一覧表示の際に補正前後の画像を並べて表示することができ、ユーザは手振れ補正が行われたか否か、手振れの程度、及び手振れ補正による画質の改善効果等を確認することができる。更に、画像にマーク５５〜５７を付して表示することにより、ユーザは確認を容易に行うことができる。
【０１６５】
なお、実施の形態６に係るハードディスクレコーダ５０３においては、手振れ判定部５３２にて補正不可能と判定された画像データをハードディスク４０に記憶しない構成としたが、これに限るものではなく、ハードディスク４０に記憶する構成としてもよく、この場合には手振れ補正不可能な画像をスライドショー表示で表示しない構成とすればよい。また、ハードディスクレコーダ５０３は、一覧表示を行う場合に手振れの判定結果及び手振れ補正の有無を表すマーク５５〜５７を付して表示する構成としたが、これに限るものではなく、スライドショー表示を行う場合にも同様にマーク５５〜５７を付して画像を表示する構成としてもよい。
【０１６６】
なお、実施の形態６に係るハードディスクレコーダ５０３のその他の構成は、実施の形態１に係るハードディスクレコーダ３の構成と同様であるため、対応する箇所には同じ符号を付して説明を省略する。
【０１６７】
（変形例１）
図２６は、本発明の実施の形態６の変形例１に係るハードディスクレコーダ５０３ａの構成を示すブロック図である。変形例１に係るハードディスクレコーダ５０３ａのハードディスク４０は、画像ファイルエリア４１が更に通常画像エリア４１ａと補正不可能画像エリア４１ｃとに分けられている。ハードディスクレコーダ５０３ａは、カードスロット３１に装着されたメモリカード２から画像データを読み出し、手振れ判定部５３２にて画像データから手振れ量８０を取得し、取得した手振れ量８０と予め定められた第１閾値及び第２閾値とを比較して、読み出した画像データが手振れのない画像データ、手振れが生じているが補正可能な画像データ又は手振れを補正できない画像データのいずれであるかを判定するようにしてある。
【０１６８】
ハードディスクレコーダ５０３ａは、手振れ判定部５３２により手振れがないと判定された画像データをハードディスク４０の通常画像エリア４１ａに記憶するようにしてあり、手振れ補正が可能と判定された画像データを手振れ補正部５４５にて補正し、補正前の画像に係る画像データ及び補正後の画像に係る画像データの両方をハードディスク４０の通常画像エリア４１ａに記憶するようにしてある。また、ハードディスクレコーダ５０３ａは、手振れ判定部５３２により手振れを補正できないと判定された画像データをハードディスク４０の補正不可能画像エリア４１ｃに記憶するようにしてある。
【０１６９】
また、ハードディスクレコーダ５０３ａは、画像の一覧表示を行う場合、ハードディスク４０の通常画像エリア４１ａ及び補正不可能画像エリア４１ｃに記憶された全ての画像データを対象に表示を行うようにしてある。このとき、ハードディスクレコーダ５０３ａは、手振れ補正を行った画像については、手振れの前後の画像を左右に並べて表示するようにしてある。更に、ハードディスクレコーダ５０３ａは、手振れのない画像、手振れを補正した画像、手振れ補正前の画像及び手振れ補正不可能な画像にそれぞれ異なるマーク（例えば、「○」、「△」、「□」及び「×」など）を付して一覧表示を行うようにしてある。
【０１７０】
また、ハードディスクレコーダ５０３ａは、画像のスライドショー表示を行う場合に、ハードディスク４０の通常画像エリア４１ａから手振れのない画像及び手振れ補正後の画像のみを読み出して順次表示するようにしてあり、通常画像エリア４１ａに記憶された手振れ補正前の画像及び補正不可能画像エリア４１ｃに記憶された手振れ補正不可能な画像を表示しないようにしてある。なお、ハードディスクレコーダ５０３ａは、補正不可能画像エリア４１ｃに記憶された画像データに係る画像を表示するか否かの設定を、ユーザが設定受付部３４を利用して変更することができるようにしてあり、ユーザが補正不可能画像エリア４１ｃの画像を表示する設定とした場合には、スライドショー表示の際に通常画像エリア４１ａの画像と共に補正不可能画像エリア４１ｃの画像が順次表示される。
【０１７１】
以上のように、変形例１に係るハードディスクレコーダ５０３ａは、手振れ判定部５３２にて手振れ補正が不可能と判定された画像データをハードディスク４０の補正不可能画像エリア４１ｃに記憶する構成であるため、一覧表示の際に手振れ補正不可能な画像を表示してユーザが確認することができ、ユーザの設定に応じてスライドショー表示の際にも手振れが生じた画像を表示することができる。
【０１７２】
（変形例２）
図２７は、本発明の実施の形態６の変形例２に係るハードディスクレコーダ５０３ｂの構成を示すブロック図である。変形例２に係るハードディスクレコーダ５０３ｂは、変形例１に係るハードディスクレコーダ５０３ａと同様に、カードスロット３１に装着されたメモリカード２から画像データを読み出し、手振れ判定部６３２にて画像データから手振れ量８０を取得し、取得した手振れ量８０と予め定められた第１閾値及び第２閾値とを比較して、読み出した画像データが手振れのない画像データ、手振れが生じているが補正可能な画像データ又は手振れを補正できない画像データのいずれであるかを判定するようにしてある。
【０１７３】
また、変形例２に係るハードディスクレコーダ５０３ｂは、手振れ判定部５３２により手振れがないと判定された画像データをハードディスク４０の通常画像エリア４１ａに記憶し、手振れ補正不可能と判定された画像データを補正不可能画像エリア４１ｃに記憶する点で変形例１に係るハードディスクレコーダ５０３ａと同様である。しかし、変形例２に係るハードディスクレコーダ５０３ｂは、手振れ量８０から画像に手振れが生じていると判定し、且つ、手振れ補正部５４５にて手振れを補正可能と判定した画像データのハードディスク４０への記憶方法が異なる。
【０１７４】
手振れ判定部５３２にて手振れが生じ且つ手振れ補正可能と判定された画像データは、手振れ補正部５４５にて手振れ補正処理が施される。ハードディスクレコーダ５０３ｂの制御部５３３は、この画像データをハードディスク４０に記憶する前に、手振れ補正の前後の画像を手振れ補正部５４５から画像デコーダ３６へ与えて液晶ディスプレイ５に２つの画像を並べて表示し、２つの画像からのいずれか１つの画像の選択を受け付けるようにしてある。
【０１７５】
図２８は、本発明の実施の形態６の変形例２に係るハードディスクレコーダ５０３ｂによる選択画面の表示例を示す模式図である。液晶ディスプレイ５に表示される記憶画像の選択画面は、例えば画像の選択を促すメッセージが画面上側に表示され、手振れ補正後の画像５１ａと手振れ補正前の画像５１ｂとが左右に並べて表示され、各画像５１ａ及び５２ｂの下側に手振れ補正を施した画像であるか否かを通知するメッセージが表示され、設定受付部３４に設けられたカーソルキーの左右に対応付けられた略三角形の２つのアイコンが表示される構成とすることができる。これにより、ユーザは設定受付部３４のカーソルキーを操作して左右に表示された画像５１ａ又は５１ｂのいずれかを選択することができ、ユーザの選択は設定受付部３４から制御部５３３へ通知されて、制御部５３３は選択された画像に係る画像データをハードディスク４０の通常画像エリア４１ａへ記憶するようにしてある。
【０１７６】
図２９は、本発明の実施の形態６の変形例２に係るハードディスクレコーダ５０３ｂが行う画像データの記憶処理の手順を示すフローチャートである。ハードディスクレコーダ５０３ｂの制御部５３３は、まずカードスロット３１にメモリカード２が装着されたか否かを調べ（ステップＳ１７１）、メモリカード２が装着されていない場合には（Ｓ１７１：ＮＯ）、カードスロット３１にメモリカード２が装着されるまで待機する。
【０１７７】
カードスロット３１にメモリカード２が装着された場合（Ｓ１７１：ＹＥＳ）、制御部５３３はカードスロット３１にてメモリカード２から画像データを読み出して（ステップＳ１７２）、手振れ判定部５３２にて画像データから手振れ量８０の取得を行う（ステップＳ１７３）。次いで、制御部５３３は手振れ量判定部５３２にて、画像データから取得した手振れ量８０が設定された第１閾値を超えるか否かを判定し（ステップＳ１７４）、手振れ量８０が第１閾値を超えない場合には（Ｓ１７４：ＮＯ）、画像データをハードディスク４０の通常画像エリア４１ａに記憶して（ステップＳ１７５）、ステップＳ１７９へ進む。
【０１７８】
手振れ量８０が第１閾値を超える場合（Ｓ１７４：ＹＥＳ）、制御部５３３は更に手振れ量８０が第２閾値を超えるか否かを調べる（ステップＳ１７６）。手振れ量８０が第２閾値を超えない場合（Ｓ１７６：ＮＯ）、この画像データは手振れ補正が可能な画像データであるため、制御部５３３は手振れ補正を施した画像又は施していない画像のいずれの画像データをハードディスク４０に記憶するかをユーザに選択させる選択受付処理を行って（ステップＳ１７７）、ステップＳ１７９へ進む。
【０１７９】
図３０は、本発明の実施の形態６の変形例２に係るハードディスクレコーダ５０３ｂが行う選択受付処理の手順を示すフローチャートであり、図２９に示すフローチャートのステップＳ１７７にて行われる処理である。制御部５３３は、メモリカード２から読み出した画像データを手振れ補正部５４５へ与えて手振れ補正を行い（ステップＳ１９１）、手振れ補正前の画像及び手振れ補正後の画像の２つの画像を画像デコーダ３６へ与えて画像のデコードを行うと共に、画像出力部３７にて液晶ディスプレイ５の表示に適した画像信号に変換して（ステップＳ１９２）、液晶ディスプレイ５に図２８に示す選択画面を表示する（ステップＳ１９３）。
【０１８０】
次いで、制御部５３３は、選択受付部３４にてユーザからの画像の選択を受け付けたか否かを調べ（ステップＳ１９４）、選択を受け付けていない場合には（Ｓ１９４：ＮＯ）、ステップＳ１９３へ戻り、選択画面の表示を継続して行って選択を受け付けるまで待機する。選択受付部３４にて画像の選択を受け付けた場合（Ｓ１９４：ＹＥＳ）、制御部５３３は選択された画像に係る画像データをハードディスク４０の通常画像エリア４１ａに記憶して（ステップＳ１９５）、処理を終了し、図２９に示すフローチャートへ戻る。
【０１８１】
また、メモリカード２から読み出した画像データの手振れ量８０が第２閾値より大きい場合（Ｓ１７６：ＹＥＳ）、制御部５３３は、この画像データをハードディスク４０の補正不可能画像エリア４１ｃに記憶して（ステップＳ１７８）、ステップＳ１７９へ進む。
【０１８２】
ステップＳ１７５、Ｓ１７７又はＳ１７８にて画像データを記憶した後、制御部５３３は、装着されたメモリカード２から全ての画像データを読み出したか否かを調べる（ステップＳ１７９）。全ての画像データを読み出していない場合（Ｓ１７９：ＮＯ）、制御部５３３はステップＳ１７２へ戻り、手振れ量８０の判定とハードディスク４０への画像データの記憶とを繰り返し行う。全ての画像データを読み出した場合（Ｓ１７９：ＹＥＳ）、制御部５３３は画像データの記憶処理を終了する。
【０１８３】
以上のように、変形例２に係るハードディスクレコーダ５０３ｂは、手振れ判定部５３２にて補正可能と判定された画像データに係る補正前後の画像を液晶ディスプレイ５に表示してユーザにいずれかの画像を選択させ、選択された画像に係る画像データをハードディスク４０に記憶する構成とすることにより、画像に補正処理を施すか否かをユーザが選択することが可能となるため、ユーザの好みにより適した画像表示を行うことができる。
【図面の簡単な説明】
【０１８４】
【図１】本発明に係る画像記憶表示装置を利用した画像鑑賞システム全体の構成を示すブロック図である。
【図２】デジタルカメラが生成する画像データのデータ構造の一例を示す模式図である。
【図３】本発明の実施の形態１に係るハードディスクレコーダの構成を示すブロック図である。
【図４】本発明の実施の形態１に係るハードディスクレコーダが行う画像データの記憶処理の手順を示すフローチャートである。
【図５】本発明の実施の形態１に係るハードディスクレコーダによる画像の一覧表示の一例を示す模式図である。
【図６】本発明の実施の形態１に係るハードディスクレコーダが行うスライドショー表示処理の手順を示すフローチャートである。
【図７】本発明の実施の形態２に係るハードディスクレコーダの構成を示すブロック図である。
【図８】本発明の実施の形態２に係るハードディスクレコーダが行う画像データの記憶処理の手順を示すフローチャートである。
【図９】本発明の実施の形態３に係るハードディスクレコーダの構成を示すブロック図である。
【図１０】本発明の実施の形態３に係るハードディスクレコーダが行う画像データの記憶処理の手順を示すフローチャートである。
【図１１】本発明の実施の形態３に係るハードディスクレコーダが行うスライドショー表示処理の手順を示すフローチャートである。
【図１２】本発明の実施の形態４に係るハードディスクレコーダの構成を示すブロック図である。
【図１３】各エリアに記憶された画像データに対する処理内容の設定を説明するための図表である。
【図１４】本発明の実施の形態５に係るハードディスクレコーダの構成を示すブロック図である。
【図１５】本発明の実施の形態５に係るハードディスクレコーダが行う画像データの記憶処理の手順を示すフローチャートである。
【図１６】本発明の実施の形態５に係るハードディスクレコーダが行うスライドショー表示処理の手順を示すフローチャートである。
【図１７】本発明の実施の形態５の変形例１に係るハードディスクレコーダが行うスライドショー表示処理の手順を示すフローチャートである。
【図１８】本発明の実施の形態５の変形例２に係るハードディスクレコーダによる画像の一覧表示の一例を示す模式図である。
【図１９】本発明の実施の形態５の変形例３に係るハードディスクレコーダが行うスライドショー表示処理の手順を示すフローチャートである。
【図２０】本発明の実施の形態５の変形例４に係るハードディスクレコーダの構成を示すブロック図である。
【図２１】本発明の実施の形態５の変形例５に係るハードディスクレコーダの構成を示すブロック図である。
【図２２】本発明の実施の形態５の変形例５に係るハードディスクレコーダが行うスライドショー表示処理の手順を示すフローチャートである。
【図２３】本発明の実施の形態６に係るハードディスクレコーダの構成を示すブロック図である。
【図２４】本発明の実施の形態６に係るハードディスクレコーダが行う画像データの記憶処理の手順を示すフローチャートである。
【図２５】本発明の実施の形態６に係るハードディスクレコーダによる画像の一覧表示の一例を示す模式図である。
【図２６】本発明の実施の形態６の変形例１に係るハードディスクレコーダの構成を示すブロック図である。
【図２７】本発明の実施の形態６の変形例２に係るハードディスクレコーダの構成を示すブロック図である。
【図２８】本発明の実施の形態６の変形例２に係るハードディスクレコーダによる選択画面の表示例を示す模式図である。
【図２９】本発明の実施の形態６の変形例２に係るハードディスクレコーダが行う画像データの記憶処理の手順を示すフローチャートである。
【図３０】本発明の実施の形態６の変形例２に係るハードディスクレコーダが行う選択受付処理の手順を示すフローチャートである。
【符号の説明】
【０１８５】
１  デジタルカメラ（撮像装置）
２  メモリカード
３  ハードディスクレコーダ
５  液晶ディスプレイ
１１  手振れセンサ
１６  カードスロット
３１  カードスロット（画像データ取得手段）
３２  手振れ判定部（振れ情報取得手段、判定手段）
３３  制御部
３４  設定受付部（受付手段）
３５  メモリ
３６  画像デコーダ（画像表示処理手段）
３７  画像出力部（画像表示処理手段）
４０  ハードディスク（記憶手段）
４１  画像ファイルエリア
４１ａ  通常画像エリア（グループ）
４１ｂ  手振れ画像エリア（グループ）
４１ｃ  補正不可能画像エリア（グループ）
４１Ａ  補正不要画像エリア（グループ、第１グループ）
４１Ｂ  補正可能画像エリア（グループ、第２グループ）
４１Ｃ  補正不可能画像エリア（グループ、第３グループ）
４１α  第１エリア（グループ）
４２β  第２エリア（グループ）
４３γ  第３エリア（グループ）
４２  放送ファイルエリア
４５  手振れ補正部（画像補正手段）
５１  画像
５２、５５、５６、５７  マーク
８０  手振れ量
８１  手振れフラグ
１０３  ハードディスクレコーダ
１３２  手振れ判定部
１３３  制御部
２０３  ハードディスクレコーダ
２３２  手振れ判定部
２３３  制御部
３０３  ハードディスクレコーダ
３３２  手振れ判定部
３３３  制御部
４０３、４０３ａ、４０３ｂ  ハードディスクレコーダ
４３２  手振れ判定部
４３３  制御部（削除手段）
４４５  手振れ補正部
５０３、５０３ａ、５０３ｂ  ハードディスクレコーダ
５３２  手振れ判定部
５３３  制御部
５４５  手振れ補正部
【図１】
2009105673.tif 000003
【図２】
2009105673.tif 000004
【図３】
2009105673.tif 000005
【図４】
2009105673.tif 000006
【図５】
2009105673.tif 000007
【図６】
2009105673.tif 000008
【図７】
2009105673.tif 000009
【図８】
2009105673.tif 000010
【図９】
2009105673.tif 000011
【図１０】
2009105673.tif 000012
【図１１】
2009105673.tif 000013
【図１２】
2009105673.tif 000014
【図１３】
2009105673.tif 000015
【図１４】
2009105673.tif 000016
【図１５】
2009105673.tif 000017
【図１６】
2009105673.tif 000018
【図１７】
2009105673.tif 000019
【図１８】
2009105673.tif 000020
【図１９】
2009105673.tif 000021
【図２０】
2009105673.tif 000022
【図２１】
2009105673.tif 000023
【図２２】
2009105673.tif 000024
【図２３】
2009105673.tif 000025
【図２４】
2009105673.tif 000026
【図２５】
2009105673.tif 000027
【図２６】
2009105673.tif 000028
【図２７】
2009105673.tif 000029
【図２８】
2009105673.tif 000030
【図２９】
2009105673.tif 000031
【図３０】
2009105673.tif 000032